(57)【要約】  マルチウェイスイッチ（１０）、無線周波数システム、および通信装置（１００）が提供される。マルチウェイスイッチ（１０）は、アンテナシステム（２０）および無線周波数回路（３０）とカップリングされるように構成される。マルチウェイスイッチ（１０）は、８つのＴポートと４つのＰポートを備える。８つのＴポートには２つの第１のＴポートが含まれ、２つの第１のＴポートのそれぞれは４つのＰポートのすべてとカップリングされる。アンテナシステム（２０）は、４つのポートに対応する４つのアンテナを備える。マルチウェイスイッチ（１０）は、４つのアンテナを介してサウンディング基準信号（ＳＲＳ）を順番に送信する機能を実装するように構成される。
2021511724.tif 000002
【特許請求の範囲】
【請求項１】
マルチウェイスイッチ（１０）において、
８つのＴポートと４つのＰポートとを備え、前記８つのＴポートは２つの第１のＴポートを含み、前記２つの第１のＴポートのそれぞれは前記４つのＰポートのすべてとカップリングされ、
前記マルチウェイスイッチ（１０）は、無線周波数回路（３０）および通信装置のアンテナシステム（２０）とカップリングされるように構成され、前記アンテナシステム（２０）は、前記４つのＰポートに対応する４つのアンテナを備え、前記マルチウェイスイッチ（１０）は、前記４つのアンテナを介してサウンディング基準信号（ＳＲＳ）を順番に送信する機能を実装するように構成される、ことを特徴とするマルチウェイスイッチ。
【請求項２】
請求項１に記載のマルチウェイスイッチにおいて、
前記８つのＴポートは６つの第２のＴポートをさらに含み、前記６つの第２のＴポートのそれぞれは前記４つのＰポートの１つとカップリングされ、同じ周波数帯域の無線周波数信号を受信するように構成される前記第２のＴポートは異なるＰポートとカップリングされ、
前記４つのＰポートと前記４つのアンテナとは１対１のカップリング関係にあり、前記第１のＴポートは少なくとも送信機能をサポートするように構成され、前記第２のＴポートは受信機能のみをサポートするように構成される、ことを特徴とするマルチウェイスイッチ。
【請求項３】
請求項１または請求項２に記載のマルチウェイスイッチにおいて、
前記無線周波数回路（３０）は少なくとも１つの独立回路モジュールを備え、
前記少なくとも１つの独立回路モジュールは第１のポートおよび第２のポートを有し、  前記第１のポートは送受信ポートを備え、前記第２のポートは受信ポートを備え、
前記第１のポートと前記第１のＴポートとは１対１のカップリング関係にあり、前記第２のポートと前記第２のＴポートとは１対１のカップリング関係にある、ことを特徴とするマルチウェイスイッチ。
【請求項４】
請求項３に記載のマルチウェイスイッチにおいて、
前記無線周波数回路（３０）は１つの独立回路モジュールを備え、前記独立回路モジュールは２つのトランシーバ回路、６つの受信回路、２つの第１のポート、および６つの第２のポートを備え、
前記２つのトランシーバ回路のそれぞれは、１つの受信回路と１つの送信回路を備え、前記２つのトランシーバ回路のそれぞれは、前記独立回路モジュールの１つの第１のポートとカップリングされる送受信ポートを備え、前記６つの受信回路のそれぞれは、前記独立回路モジュールの１つの第２のポートとカップリングされる受信ポートを備える、ことを特徴とするマルチウェイスイッチ。
【請求項５】
請求項３に記載のマルチウェイスイッチにおいて、
前記無線周波数回路（３０）は２つの独立回路モジュールを備え、前記２つの独立回路モジュールは第１の独立回路モジュールおよび第２の独立回路モジュールを含み、
前記２つの独立回路モジュールのそれぞれは、１つのトランシーバ回路、３つの受信回路、１つの第１ポート、および３つの第２ポートを備え、
トランシーバ回路はそれぞれ１つの受信回路と１つの送信回路を備え、トランシーバ回路はそれぞれ前記トランシーバ回路を備える前記独立回路モジュールの前記第１のポートとカップリングされる送受信ポートを備え、受信回路はそれぞれ前記受信回路を備える前記独立回路モジュールの１つの第２のポートとカップリングされる受信ポートを備える、ことを特徴とするマルチウェイスイッチ。
【請求項６】
請求項３に記載のマルチウェイスイッチにおいて、
前記無線周波数回路（３０）は、３つの独立回路モジュールを備え、前記３つの独立回路モジュールは、第１の独立回路モジュール、第２の独立回路モジュール、および第３の独立回路モジュールを含み、
前記第１の独立回路モジュールおよび前記第２の独立回路モジュールは両方とも１つのトランシーバ回路および１つの第１のポートを備え、前記トランシーバ回路は１つの受信回路および１つの送信回路を備え、トランシーバ回路はそれぞれ前記トランシーバ回路を備える前記独立回路モジュールの前記第１のポートとカップリングされる送受信ポートを有し、
前記第３の独立回路モジュールは、６つの受信回路と６つの第２のポートを備え、受信回路はそれぞれ、前記受信回路を備える前記独立回路モジュールの１つの第２のポートとカップリングされる受信ポートを有する、ことを特徴とするマルチウェイスイッチ。
【請求項７】
請求項３に記載のマルチウェイスイッチにおいて、
前記無線周波数回路（３０）は４つの独立回路モジュールを備え、前記４つの独立回路モジュールは第１の独立回路モジュール、第２の独立回路モジュール、第３の独立回路モジュール、および第４の独立回路モジュールを含み、
前記第１の独立回路モジュールおよび前記第２の独立回路モジュールは両方とも１つのトランシーバ回路および１つの第１のポートを備え、前記トランシーバ回路は１つの受信回路および１つの送信回路を備え、トランシーバ回路はそれぞれ前記トランシーバ回路を備える前記独立回路モジュールの１つの第２のポートとカップリングされる送受信ポートを有し、
前記第３の独立回路モジュールおよび前記第４の独立回路モジュールは両方とも３つの受信回路および３つの第２のポートを備え、受信回路はそれぞれ、前記受信回路を備える前記独立回路モジュールの１つの第２のポートとカップリングされる受信ポートを有する、ことを特徴とするマルチウェイスイッチ。
【請求項８】
請求項３に記載のマルチウェイスイッチにおいて、
前記無線周波数回路（３０）は５つの独立回路モジュールを備え、前記５つの独立回路モジュールは第１の独立回路モジュール、第２の独立回路モジュール、第３の独立回路モジュール、第４の独立回路モジュール、および第５の独立回路モジュールを含み、
前記第１の独立回路モジュールと前記第２の独立回路モジュールは両方とも１つのトランシーバ回路と１つの第１のポートを備え、トランシーバ回路はそれぞれ１つの受信回路と１つの送信回路を備え、トランシーバ回路はそれぞれ前記トランシーバ回路を備える前記独立回路モジュールの前記第１のポートとカップリングされる送受信ポートを有し、
前記第３独立回路モジュール、第４独立回路モジュール、および第５独立回路モジュールはすべて、２つの受信回路と２つの第２ポートを備え、受信回路はそれぞれ、前記受信回路を備える前記独立回路モジュールの１つの第２ポートとカップリングされる受信ポートを備える、ことを特徴とするマルチウェイスイッチ。
【請求項９】
請求項４〜８のいずれか一項に記載のマルチウェイスイッチにおいて、
前記受信回路は、１つの低雑音増幅器（ＬＮＡ）と１つのフィルタを備え、前記フィルタは、前記独立回路モジュールの前記第２のポートとカップリングされる入力ポートと、  前記ＬＮＡの入力ポートとカップリングされる出力ポートを有し、前記ＬＮＡの出力ポートは、前記通信装置の無線周波数トランシーバの対応するポートとカップリングされ、
前記トランシーバ回路は、１つのＬＮＡ、１つの電力増幅器（ＰＡ）、１つのフィルタ、１つのカプラ、および１つのスイッチを備え、前記ＬＮＡの入力ポートと前記ＰＡの出力ポートは前記スイッチとカップリングされ、前記スイッチは前記フィルタとカップリングされ、前記フィルタは前記カップラ器とカップリングされ、前記カップラは前記独立回路モジュールの前記第１のポートとカップリングされる、ことを特徴とするマルチウェイスイッチ。
【請求項１０】
請求項１〜９のいずれか一項に記載のマルチウェイスイッチにおいて、
前記４つのアンテナは、第１のアンテナ、第２のアンテナ、第３のアンテナ、および第４のアンテナを含み、
前記第１のアンテナ、第２のアンテナ、第３のアンテナ、および第４のアンテナはすべて、第５世代の新しい無線（５Ｇ  ＮＲ）周波数帯域で動作可能である、ことを特徴とするマルチウェイスイッチ。
【請求項１１】
請求項１〜９のいずれか一項に記載のマルチウェイスイッチにいて、
前記４つのアンテナは、第１のアンテナ、第２のアンテナ、第３のアンテナ、および第４のアンテナを含み、
前記第１のアンテナおよび前記第４のアンテナは、ロングタームエボリューション（ＬＴＥ）周波数帯域および５Ｇ  ＮＲ周波数帯域で動作可能であり、
前記第２のアンテナと前記第３のアンテナは、前記５Ｇ  ＮＲ周波数帯域でのみ動作可能である、ことを特徴とするマルチウェイスイッチ。
【請求項１２】
請求項１１に記載のマルチウェイスイッチにおいて、
前記アンテナシステム（２０）は、第１のコンバイナおよび第２のコンバイナをさらに備え、
前記第１のコンバイナは、前記第１のアンテナとカップリングされる第１のポート、前記ワイヤレス通信装置のＬＴＥ  ４ｘ４多入力多出力（ＭＩＭＯ）における第１の受信経路とカップリングされる第２のポート、および前記マルチウェイスイッチの対応するＰポートとカップリングされる第３のポートを有し、
前記第２のコンバイナは、前記第４のアンテナとカップリングされる第１のポート、前記ワイヤレス通信装置のＬＴＥ  ４ｘ４  ＭＩＭＯにおける第２の受信経路とカップリングされる第２のポート、およびマルチウェイスイッチの対応するＰポートとカップリングされる第３のポートを有する、ことを特徴とするマルチウェイスイッチ。
【請求項１３】
請求項１１に記載のマルチウェイスイッチにおいて、
前記アンテナシステム（２０）は、第１の単極双投（ＳＰＤＴ）スイッチおよび第２のＳＰＤＴスイッチをさらに備え、
前記第１のＳＰＤＴスイッチは、前記第１のアンテナとカップリングされる第１のポート、前記ワイヤレス通信装置のＬＴＥ  ４ｘ４  ＭＩＭＯにおける第１の受信経路とカップリングされる第２のポート、および前記マルチウェイスイッチの対応するＰポートとカップリングされる第３のポートを有し、
前記第２のＳＰＤＴスイッチは、前記第４のアンテナとカップリングされる第１のポート、前記ワイヤレス通信装置のＬＴＥ  ４ｘ４  ＭＩＭＯにおける第２の受信経路とカップリングされる第２のポート、および前記マルチウェイスイッチの対応するＰポートとカップリングされる第３のポートを有する、ことを特徴とするマルチウェイスイッチ。
【請求項１４】
アンテナシステム（２０）、無線周波数回路（３０）、および請求項１から１３のいずれか一項に記載のマルチウェイスイッチ（１０）を備える、ことを特徴とする無線周波数システム。
【請求項１５】
アンテナシステム（２０）、無線周波数回路（３０）、および請求項１から１３のいずれか一項に記載のマルチウェイスイッチ（１０）を備える、ことを特徴とする通信装置。
【発明の詳細な説明】
【技術分野】
【０００１】
本開示は、通信技術の分野に関し、特に、マルチウェイスイッチ、無線周波数システム、および通信装置に関する。
【背景技術】
【０００２】
スマートフォンなどの電子機器が広く利用されるとともに、スマートフォンはますます多くのアプリケーションをサポートし、ますます強力になっている。スマートフォンは多様化で個性化的に開発されており、ユーザーの生活に不可欠な電子製品となっている。第４世代（４Ｇ）モバイル通信システムでは、電子装置は通常、シングルアンテナまたはデュアルアンテナの無線周波数（ＲＦ）システムアーキテクチャを採用している。現在、第５世代（５Ｇ）モバイル通信システムの新しい無線（ＮＲ）システムでは、４アンテナＲＦシステムアーキテクチャをサポートする電子装置が提案されている。
【発明の概要】
【０００３】
本開示の実施形態は、マルチウェイスイッチ、無線周波数システム、および通信システムを提供する。
【０００４】
本開示の実施形態の第１の態様によれば、マルチウェイスイッチが提供される。マルチウェイスイッチは、８つのＴポートと４つのＰポートを有する。８つのＴポートには２つの第１のＴポートが含まれ、２つの第１のＴポートのそれぞれは４つのＰポートのすべてとカップリングされる。マルチウェイスイッチは、無線周波数回路および通信装置のアンテナシステムとカップリングされるように構成される。アンテナシステムは、４つのＰポートに対応する４つのアンテナを備える。マルチウェイスイッチは、４つのアンテナを介してサウンディング基準信号（ＳＲＳ）を順番に送信する機能を実装するように構成されている。
【０００５】
本開示の実施形態の第２の態様によれば、無線周波数システムが提供される。無線周波数システムは、アンテナシステム、無線周波数回路、ならびに無線周波数回路およびアンテナシステムとカップリングされるマルチウェイスイッチを備える。マルチウェイスイッチは、８つのＴポートと４つのＰポートを有する。８つのＴポートには２つの第１のＴポートが含まれ、２つの第１のＴポートのそれぞれは４つのＰポートのすべてとカップリングされる。アンテナシステムは、４つのＰポートに対応する４つのアンテナを備える。マルチウェイスイッチは、４つのアンテナを介してサウンディング基準信号（ＳＲＳ）を順番に送信する機能を実装するように構成されている。
【０００６】
本開示の実施形態の第３の態様によれば、通信装置が提供される。通信装置は、アンテナシステム、無線周波数回路、ならびに無線周波数回路およびアンテナシステムとカップリングされるマルチウェイスイッチを備える。マルチウェイスイッチは、８つのＴポートと４つのＰポートを有する。８つのＴポートには２つの第１のＴポートが含まれ、２つの第１のＴポートのそれぞれは４つのＰポートのすべてとカップリングされる。アンテナシステムは、４つのＰポートに対応する４つのアンテナを備える。マルチウェイスイッチは、４つのアンテナを介してサウンディング基準信号（ＳＲＳ）を順番に送信する機能を実装するように構成されている。
【０００７】
本開示の実施形態では、ワイヤレス通信装置は、アンテナシステム、無線周波数回路、およびマルチウェイスイッチを備えることが分かる。アンテナシステムは４つのアンテナを備える。マルチウェイスイッチは、８つのＴポートと４つのＰポートを備える。マルチウェイスイッチは、無線周波数回路およびアンテナシステムとカップリングされ、４つのＰポートに対応する送信アンテナを介してＳＲＳを順番に送信するプリセット機能を実装する。
【図面の簡単な説明】
【０００８】
本開示の実施形態または関連技術における技術案をより明確に説明するために、以下は、実施形態または関連技術を説明するために必要な添付図面を簡単に紹介する。明らかに、以下の説明における添付の図面は、単に本開示のいくつかの実施形態を例示している。当業者は、創造的な努力なしに、これらの添付図面に基づいて他の図面を入手することもできる。
【図１Ａ】図１Ａは、本開示の実施形態による電子装置を示す概略構造図である。
【図１Ｂ】図１Ｂは、本開示の実施形態による４Ｐ８Ｔスイッチを示す概略構造図である。
【図１Ｃ】本開示の実施形態による別の電子装置を示す概略構造図である。
【図２】図２は、本開示の実施形態による電子装置の無線周波数回路を示す概略構造図である。
【図３】図３は、本開示の実施形態による電子装置の別の無線周波数回路を示す概略構造図である。
【図４】本開示の実施形態による電子装置の別の無線周波数回路を示す概略構造図である。
【図５】図５は、本開示の実施形態による電子装置の別の無線周波数回路を示す概略構造図である。
【図６】本開示の実施形態による電子装置の別の無線周波数回路を示す概略構造図である。
【図７Ａ】図７Ａは、本開示の実施形態による受信回路を示す概略構造図である。
【図７Ｂ】図７Ｂは、本開示の実施形態によるトランシーバ回路を示す概略構造図である。
【図８】図８は、本開示の実施形態による電子装置のアンテナシステムを示す概略構造図である。
【図９】本開示の実施形態による電子装置の別のアンテナシステムを示す概略構造図である。
【図１０】本開示の実施形態による無線周波数システムを示す概略構造図である。
【図１１】本開示の実施形態による通信装置を示す概略構造図である。
【図１２】本開示の実施形態による、通信装置のアンテナを多重化することが可能なワイヤレス充電レシーバを示す概略図である。
【図１３】図１３は、本開示の実施形態による４つのアンテナを備えるループアレイアンテナを示す概略構造図である。
【発明を実施するための形態】
【０００９】
本開示の実施形態における技術案は、本開示の実施形態の添付の図面を参照して、以下に明確かつ完全に説明される。明らかに、説明される実施形態は、本開示のすべてではなく、単にいくつかの実施形態である。創造的な努力なしに本開示の実施形態に基づいて当業者によって得られる他のすべての実施形態は、本開示の保護範囲内に含まれるものとする。
【００１０】
本開示の明細書、特許請求の範囲、および添付の図面で使用される「第１」、「第２」などの用語は、特定の順序を説明するのではなく、異なるオブジェクトを区別するために使用される。「含む」、「備える」、および「有する」という用語ならびにそれらの変形は、非排他的な包含をカバーすることを意図している。例えば、一連のステップまたはユニットを含むプロセス、方法、システム、製品、または設備は、リストされたステップまたはユニットに限定されない。代わりに、リストされていない他のステップまたはユニットをオプションで含めることができる。あるいは、プロセス、方法、製品、または装置に固有の他のステップまたはユニットも含めることができる。
【００１１】
本明細書で言及される「実施例」または「実施形態」という用語は、実施形態に関連して説明される特定の特徴、構造、または特性が本開示の少なくとも１つの実施形態に含まれ得ることを意味する。本明細書の様々な場所に現れるフレーズは、必ずしも同じ実施形態を指すものではなく、他の実施形態と相互に排他的な独立または代替の実施形態を指すものでもない。本明細書で説明される実施形態は、他の実施形態と組み合わせることができることが当業者によって明示的および暗黙的に理解される。
【００１２】
本開示の実施形態に係る通信装置は、電子装置またはネットワーク装置を含み、電子装置は、ワイヤレス通信機能を有する様々なハンドヘルド装置、車載装置、ウェアラブル装置、コンピューティング装置、またはワイヤレスモデムに接続される他の処理装置、およびさまざまな形式のユーザー機器（ＵＥ）、移動局（ＭＳ）、端末装置などを含んでもよい。説明を簡単にするために、上記の装置をまとめて電子装置と呼ぶ。
【００１３】
ネットワーク装置は、基地局であってもよい。基地局は、１つまたは複数の電子装置と通信することができ、電子装置の機能の一部を有する１つまたは複数の基地局とも通信することができる（たとえば、マクロ基地局とマイクロ基地局たとえばアクセスポイント（ＡＰ）との間の通信）。基地局は、時分割同期符号分割多元接続（ＴＤ−ＳＣＤＭＡ）システムの基地トランシーバ局（ＢＴＳ）であってもよく、またロングタームエボリューション（ＬＴＥ）システムの進化したノードＢ（ｅＮＢ）であってもよい。第５世代（５Ｇ）システムの新しい無線（ＮＲ）システムの基地局であってもよい。さらに、基地局は、ＡＰ、送信ポイント、中央ユニット（ＣＵ）または他のネットワークエンティティであってもよく、上記のネットワークエンティティの機能の一部またはすべてを含んでもよい。
【００１４】
以下の実施形態では、電子装置は、通信装置を説明するための例として取り上げられる。
【００１５】
現在、携帯電話の４つのアンテナでのサウンディング基準信号（ＳＲＳ）の切り替えは、チャイナモバイル通信会社（ＣＭＣＣ）にとって、チャイナモバイル５Ｇスケールテストテクニカルホワイトペーパー＿ターミナルで必須のオプションであり、第３世代パートナーシッププロジェクト（３ＧＰＰ）ではオプションではある。ＳＲＳは主に、基地局が携帯電話の４つのアンテナのアップリンク信号を測定して４つのチャネルの品質とパラメータを確定し、チャネルのレシプロシティーに応じて、４つのチャネルに対してダウンリンクの大規模多入力多出力（ＭＩＭＯ）アンテナアレイのビームフォーミングを実行し、そして最後に、ダウンリンク４ｘ４  ＭＩＭＯが最高のデータ伝送パフォーマンスが得られるためのものである。４ｘ４  ＭＩＭＯは、基地局がデータを送信するための４つのアンテナを有し、端末装置がデータを受信するための４つのアンテナを有することを指す。
【００１６】
４つのアンテナにおけるＳＲＳスイッチングの要件を満たすために、本開示の実施形態は、簡略化された４Ｐ８Ｔアンテナスイッチに基づく無線周波数アーキテクチャを提供する。３Ｐ３Ｔ／ＤＰＤＴ／マルチウェイスモールスイッチのスイッチングスキームと比較して、本開示のスイッチングスキームは、各経路の直列スイッチの数を減らすことができ（スイッチのすべてまたは一部が４Ｐ８Ｔスイッチに集積されている）、リンク損失を減らし、端末全体の送信および受信パフォーマンスを最適化する。以下、本開示の実施形態について詳細に説明する。
【００１７】
図１Ａを参照する。図１Ａは、本開示の一実施形態による電子装置１００を示す概略構造図である。電子装置１００は、デュアル周波数シングル送信モードをサポートする、すなわち、電子装置１００は、デュアル周波数帯域ウォンアップリンク送信経路またはデュアル周波数バンドフォアダウンリンク受信経路をサポートすることができる。電子装置は、マルチウェイスイッチ１０、アンテナシステム２０、および無線周波数回路３０を備える。アンテナシステム２０は、４つのアンテナを有する。マルチウェイスイッチ１０は、８つのＴポートと４つのＰポートを備える。８つのＴポートには２つの第１のＴポートが含まれ、各第１のＴポートは４つのＰポートと完全とカップリングされる。つまり、各第１のＴポートは４つのＰポートのすべてとカップリングされる。４つのＰポートと４つのアンテナは１対１のカップリング関係にある。つまり、４つのポートのそれぞれは４つのアンテナの対応するアンテナとカップリングされる。
【００１８】
マルチウェイスイッチ１０は、無線周波数回路３０およびアンテナシステム２０とカップリングされて、電子装置１００のプリセット機能を実装する。プリセット機能は、４つのアンテナを介してＳＲＳを順番に送信する機能であり、４ポートＳＲＳ送信機能として理解されてもよい。
【００１９】
電子装置は、５Ｇ  ＮＲ携帯電話端末または他の５Ｇ  ＮＲ端末装置、例えば、顧客構内機器（ＣＰＥ）またはモバイルＷｉｆｉであってもよい。
【００２０】
本開示の実施形態における「Ｐポート」は、「分極ポート」の略であり、アンテナとカップリングされるポートを指す。本開示の実施形態における「Ｔポート」は、「スローポート」の略語であり、無線周波数回路とカップリングされるポートを指す。本開示の実施形態では、４つのＰポートおよび８つのＴポートを備える。マルチウェイスイッチ１０を直感的に理解するために、本開示の実施形態では、マルチウェイスイッチ１０は、４Ｐ８Ｔスイッチとも呼ばれる。
【００２１】
本開示の実施形態では、完全なカップリングは、Ｔポートに対して定義され、ＴポートがすべてのＰポートとカップリングされることを示す。第１のＴポートは完全とカップリングされるポートで、４つのＰポートとカップリングされる。
【００２２】
４つのアンテナを介してＳＲＳを順番に送信することは、電子装置１００がポーリングメカニズムに基づいて基地局と対話して、４つのアンテナのそれぞれに対応するアップリンクチャネルの品質を確定するプロセスを指す。
【００２３】
８つのＴポートには、６つの第２のＴポートがさらに含まれている。各第２のＴポートは、４つのＰポートの１つと独立してカップリングされる。つまり、１つの第２のＴポートは単に１つのＰポートとカップリングされるが、１つのＰポートは異なる第２のＴポートとカップリングされる。同じ周波数帯域に対応する第２のＴポートは、異なるＰポートとカップリングされる。４つのＰポートは４つのアンテナとカップリングされ、４つのＰポートと４つのアンテナは１対１の対応関係にある。第１のＴポートは、少なくとも送信機能をサポートする、すなわち、第１のＴポートは、無線周波数信号を送信するように構成でき、無線周波数信号を受信および送信するようにも構成できる。第２のＴポートは受信機能のみをサポートし、つまり、第２のＴポートは無線周波数信号を受信するように構成されているだけである。
【００２４】
６つの第２のＴポートは、第１の周波数帯域の無線周波数信号を受信する３つの第２のＴポートと第２の周波数帯域の無線周波数信号を受信する３つの第２のＴポートを含み、第１の周波数帯域と第２の周波数帯域は重ならない。
【００２５】
同じ周波数帯域に対応するＴポートとカップリングされるＰポートが互いに異なるということは、同じ周波数帯域の無線周波数信号を受信するためのＴポートとカップリングされるＰポートが互いに異なることを意味する。たとえば、第２のＴポート１は第１周波数帯域の無線周波数信号を受信するように構成され、第２のＴポート２は第１周波数帯域の無線周波数信号を受信するように構成され、第２のＴポート１はＰポートとカップリングされ、第２のＴポート２はＰポート２とカップリングされ、Ｐポート１はＰポート２とは異なる。
【００２６】
Ｔポートに対して独立したカップリングが定義されており、１つのＴポートが単に１つのＰポートとカップリングされていることを指す。本開示の実施形態では、６つの第２のＴポートは、独立したカップリングのポートである。
【００２７】
第１の周波数帯域および第２の周波数帯域は、５Ｇ  ＮＲ周波数帯域である。説明を簡単にするために、「ＮＲ  Ｂａｎｄ  Ｎｘ」は５Ｇ  ＮＲ電子装置がサポートする第１の周波数帯域を示し、「ＮＲ  Ｂａｎｄ  Ｎｙ」は５Ｇ  ＮＲ電子装置がサポートする第２の周波数帯域を示す。たとえば、第１の周波数帯域は３．３ＧＨｚ〜３．８ＧＨｚで、第２の周波数帯域は４．４ＧＨｚ〜５ＧＨｚである。または、第１の周波数帯域は４．４ＧＨｚ〜５ＧＨｚで、第２の周波数帯域は３．３ＧＨｚ〜３．８ＧＨｚである。
【００２８】
本開示の実施形態では、８つのＴポートは、第１のＴポートおよび第２のＴポートに分類される。第１のＴポートは完全カップリングポートであり、第１のＴポートの数は２つである。１つの第１のＴポートは、ＮＲ  Ｂａｎｄ  Ｎｘの無線周波数信号を送信および受信するように構成され、他の第１のＴポートは、ＮＲ  Ｂａｎｄ  Ｎｙの無線周波数信号を送信および受信するように構成される。第２のＴポートは独立したカップリングのポートであり、第２のＴポートの数は６である。６つの第２のＴポートは、ＮＲ  Ｂａｎｄ  Ｎｘの無線周波数信号を受信するための３つの第２のＴポートと、ＮＲ  Ｂａｎｄ  Ｎｙの無線周波数信号を受信するための３つの第２のＴポートを含む。
【００２９】
図１Ｂを参照する。図１Ｂは、本開示の実施形態による４Ｐ８Ｔスイッチを示す概略構造図である。図１Ｂに示すように、１つの第１のＴポートは「ＮＲ  Ｂａｎｄ  Ｎｘ  ＴＲＸ１」ポートであり、ＮＲ  Ｂａｎｄ  Ｎｘの無線周波数信号を送受信するように構成され、もう１つの第１のＴポートは「ＮＲ  Ｂａｎｄ  Ｎｙ  ＴＲＸ１」ポートであり、ＮＲ  Ｂａｎｄ  Ｎｙの無線周波数信号を送受信するように構成される。６つの第２のＴポートは、それぞれ「ＮＲ  Ｂａｎｄ  Ｎｘ  ＲＸ２」ポート、「ＮＲ  Ｂａｎｄ  Ｎｙ  ＲＸ２」ポート、「ＮＲ  Ｂａｎｄ  Ｎｘ  ＲＸ３」ポート、「ＮＲ  Ｂａｎｄ  Ｎｙ  ＲＸ３」ポート、「ＮＲ  Ｂａｎｄ  Ｎｘ  ＲＸ４」ポート、および「ＮＲ  Ｂａｎｄ  Ｎｙ  ＲＸ４」ポートである。４つのＰポートは、それぞれＰ１ポート、Ｐ２ポート、Ｐ３ポート、およびＰ４ポートである。「ＮＲ  Ｂａｎｄ  Ｎｘ  ＴＲＸ１」ポートはそれぞれＰ１ポート、Ｐ２ポート、Ｐ３ポート、およびＰ４ポートとカップリングされ、「ＮＲ  Ｂａｎｄ  Ｎｙ  ＲＸ１」ポートはＰ１ポート、Ｐ２ポートとカップリングされ、それぞれＰ３ポートとＰ４ポート。「ＮＲ  Ｂａｎｄ  Ｎｘ  ＲＸ２」ポート、「ＮＲ  Ｂａｎｄ  Ｎｘ  ＲＸ３」ポート、「ＮＲ  Ｂａｎｄ  Ｎｘ  ＲＸ４」ポートは、ＮＲ  Ｂａｎｄ  Ｎｘの無線周波数信号を受信するように構成されたポートである。「ＮＲ  Ｂａｎｄ  Ｎｙ  ＲＸ２」ポート、「ＮＲ  Ｂａｎｄ  Ｎｙ  ＲＸ３」ポート、および「ＮＲ  Ｂａｎｄ  Ｎｙ  ＲＸ４」ポートは、ＮＲ  Ｂａｎｄ  Ｎｙの無線周波数信号を受信するように構成されたポートである。同一チャネル干渉を回避するために、ＮＲ  ＢＡＮＤ  Ｎｘの無線周波数信号を受信するように構成された３つの第２のＴポートと独立してカップリングされるＰポートは互いに異なり、ＮＲ  ＢＡＮＤ  Ｎｙの無線周波数信号を受信するように構成された３つの第２のＴポートと独立してカップリングされるＰポートは互いに異なる。図１Ｂでは、「ＮＲ  ＢＡＮＤ  Ｎｘ  ＲＸ２」ポートおよび「ＮＲ  ＢＡＮＤ  Ｎｙ  ＲＸ２」は、Ｐ１ポートとカップリングされ、「ＮＲ  ＢＡＮＤ  Ｎｘ  ＲＸ３」ポートおよび「ＮＲ  ＢＡＮＤ  Ｎｙ  ＲＸ３」ポートは、Ｐ３ポートとカップリングされ、  「ＮＲ  Ｂａｎｄ  Ｎｘ  ＲＸ４」ポートと「ＮＲ  Ｂａｎｄ  Ｎｙ  ＲＸ４」ポートはＰ４ポートとカップリングされている。説明する必要があるのは、第２のＴポートがＰポートとカップリングされている接続方法が可能な例にすぎず、必要なのは、第１の周波数帯域の無線周波数信号を受信するように構成される３つの第２のＴポートに独立してカップリングされているＰポートが、第２の周波数帯域の無線周波数信号を受信するように構成される３つの第２のＴポートに独立してカップリングされるＰポートが、互いに異なるという条件だけである。
【００３０】
本開示の実施形態に示されるマルチウェイスイッチ１０のＴポートとＰポートとの間のカップリング、独立カップリング、完全カップリング、または他の種類のカップリングは、Ｔポートが第１のスイッチトランジスタを介してＰポートとカップリングされることを指す。第１のスイッチトランジスタは、ＴポートとＰポートとの間の通信（ＴポートからＰポートへの一方向通信およびＰポートからＴポートへの一方向通信を含む）を制御するように構成される。第１のスイッチトランジスタは、例えば、３つの電界効果トランジスタ（例えば、金属酸化物半導体（ＭＯＳ）トランジスタ）を備えるスイッチアレイであってもよい。第１のスイッチトランジスタがオフされ、接地されていない場合、寄生パラメータ（寄生容量、寄生インダクタンスなど）は、接続されている他のポートのパフォーマンスに大きく影響する。したがって、第１のスイッチトランジスタは、３つのＭＯＳトランジスタで実装される。第１のスイッチトランジスタがオフされると、両端の２つのＭＯＳトランジスタがオフされ、中央の１つのＭＯＳトランジスタが接地される。ＴポートとＰポートとの間の第１のスイッチトランジスタに加えて、マルチウェイスイッチ１０は、単にＴポートに隣接して配置された第２のスイッチトランジスタおよび単にＰポートに隣接して配置された第２のスイッチトランジスタをさらに備える。第２のスイッチトランジスタは、接地スイッチトランジスタと呼ぶこともできる。各Ｔポートには１つの接地スイッチトランジスタを設けることができ、各Ｐポートには１つの接地スイッチトランジスタを設けることもできる。ＴポートまたはＰポートを信号送信および信号受信に使用されていない場合、対応する接地スイッチトランジスタがオンにされ、ＴポートまたはＰポートが信号受信または信号送信に使用される場合、対応する接地スイッチトランジスタがオフにされる。第２のスイッチトランジスタは、対応するポート（ＴポートまたはＰポート）をアクティブにするように構成され、例えば、ＭＯＳトランジスタであってもよい。本開示では、第１のスイッチトランジスタおよび第２のスイッチトランジスタの具体的な構成は限定されない。一実施形態では、電子装置１００は、第１のスイッチトランジスタを介して、ＴポートとＰポートとの間の経路の導通を制御することができる。一実施形態では、電子装置１００は、マルチウェイスイッチ１０のスイッチトランジスタとカップリングされる専用コントローラを備えてもよい。
【００３１】
マルチウェイスイッチ１０は、電界効果トランジスタを備える。たとえば、８つのＴポートを備え、マルチウェイスイッチが８つのＴポートの間における電界効果トランジスタを備えると仮定する。各Ｔポートが４つのＰポートと完全とカップリングされている場合、マルチウェイスイッチの電界効果トランジスタの数は４＋８＊４＊３＋４＝１０４である。２つのＴポートのみが４つのＰポートと完全とカップリングされている場合、マルチウェイスイッチの電界効果トランジスタの数は８＋（２＊４＋（８−２）＊１）＊３＋４＝５４である。明らかに、本開示の実施形態を適用することにより、４Ｐ８Ｔスイッチの電界効果トランジスタの数、体積、およびコストを低減することができ、それによって性能を改善することができる。
【００３２】
さらに、電子装置１００は、無線周波数トランシーバをさらに備える。無線周波数トランシーバは、無線周波数回路とカップリングされ、無線周波数トランシーバ、無線周波数回路、マルチウェイスイッチ、およびアンテナシステムは、電子装置の無線周波数システムを構成する。
【００３３】
４つのＰポートと完全とカップリングされるＴポートの数を制限することにより、電子装置の無線周波数システムのスイッチの数を効果的に減らすことができる。完全カップリングのＴポートの数は、無線周波数システムのパフォーマンスに影響する。
【００３４】
あるいは、図１Ｃを参照する。図１Ｃは、本開示の一実施形態による電子装置を示す概略構造図である。図１Ｃに示すように、電子装置１００は、無線周波数トランシーバおよび３つの独立回路モジュールを備える。１つの独立回路モジュールは、トランシーバ回路を備え、トランシーバ回路は、ＮＲ  Ｂａｎｄ  Ｎｘの無線周波数信号の送信をサポートする第１の送信経路と、ＮＲ  Ｂａｎｄ  Ｎｘの無線周波数信号の受信をサポートする第１の受信経路とをカップリングすることによって形成される。別の独立回路モジュールは、トランシーバ回路を備え、トランシーバ回路は、ＮＲ  Ｂａｎｄ  Ｎｙの無線周波数信号の送信をサポートする第２の送信経路と、ＮＲ  Ｂａｎｄ  Ｎｙの無線周波数信号の受信をサポートする第２の受信経路とをカップリングすることによって形成される。別の独立回路モジュールは６つの受信回路を備え、６つの受信回路はそれぞれＮＲ  Ｂａｎｄ  Ｎｘの無線周波数信号の受信をサポートする第３の受信経路、ＮＲ  Ｂａｎｄ  Ｎｙの無線周波数信号の受信をサポートする第４の受信経路、ＮＲ  Ｂａｎｄ  Ｎｘの無線周波数信号の受信をサポートする第５の受信経路、ＮＲ  Ｂａｎｄ  Ｎｙの無線周波数信号の受信をサポートする第６の受信経路、ＮＲ  Ｂａｎｄ  Ｎｘの無線周波数信号の受信をサポートする第７の受信経路、およびＮＲ  Ｂａｎｄ  Ｎｙの無線周波数信号の受信をサポートする第８の受信経路である。
【００３５】
本開示の実施形態では、無線周波数トランシーバは、無線周波数信号を送信および受信するように構成される。アップリンクでは、無線周波数トランシーバは、ベースバンド信号を放射無線周波数信号に変換するように構成されている。放射無線周波数信号は、トランシーバ回路によって処理され、例えば、トランシーバ回路によって増幅およびフィルタリングされる。処理された放射無線周波数信号は、アンテナによって特定の周波数帯域の電磁波に変換されて放射される。ダウンリンクでは、アンテナは指定された周波数帯域の電磁波を受信し、電磁波を無線周波数信号に変換し、無線周波数信号を増幅およびフィルタリングするなどの処理を行い、処理された無線周波数信号を無線周波数トランシーバに送信する。無線周波数トランシーバは、受信した無線周波数信号をベースバンドチップによって処理されるベースバンド信号に復調するように構成されている。
【００３６】
本開示の実施形態では、トランシーバ回路は、１つの送信ポート、１つの受信ポート、および１つの送受信ポートを有する。各受信回路は、１つの受信ポートと１つの送信ポートを有する。送受信回路の「送受信ポート」、「送信ポート」、「受信ポート」とは、１つの送信回路と１つの受信回路を集積した後に形成されるポートをいう。送受信ポートは、無線周波数信号を送受信するように構成され、送信ポートは、無線周波数信号を送信するように構成され、受信ポートは、無線周波数信号を受信するように構成される。図面に示される送信ポート、受信ポート、および送受信ポートなどのポートは例示であり、正確なポート位置を示すことを意図しておらず、制限を課すものではないことに留意されたい。
【００３７】
マルチウェイスイッチ１０は、２つの第１のＴポートおよび６つの第２のＴポートを有する。図１Ｃに示すように、２つの第１のポートは、それぞれ、２つのトランシーバ回路の送受信ポートに対応してカップリングされる。６つの第２のＴポートは、それぞれ、６つの受信回路の受信ポートに対応してカップリングされる。ＮＲ  Ｂａｎｄ  Ｎｘの無線周波数信号を受信するように構成された６つの第２のＴポートのうちの３つは、それぞれ第３の受信回路の受信ポート、第５の受信回路の受信ポート、および第７の受信回路の受信ポートとカップリングされる。ＮＲ  Ｂａｎｄ  Ｎｙの無線周波数信号を受信するように構成された６つの第２のＴポートのうちの３つは、それぞれ第４の受信回路の受信ポート、第６の受信回路の受信ポート、および第８の受信回路の受信ポートとカップリングされる。
【００３８】
無線周波数トランシーバは２つのトランシーバ回路と６つの受信回路に適応させる必要があるので、無線周波数トランシーバは少なくとも２つの送信ポートと８つの受信ポートを有する。図１Ｃに示すように、無線周波数トランシーバは２つの送信ポート（ＴＸ＿ＮｘポートとＴＸ＿Ｎｙポート）、および８つの受信ポート（ＲＸ１＿Ｎｘポート、ＲＸ１＿Ｎｙポート、ＲＸ２＿Ｎｘポート、ＲＸ２＿Ｎｙポート、ＲＸ３＿Ｎｘポート、ＲＸ３＿Ｎｙポート、ＲＸ４＿Ｎｘポート、およびＲＸ４＿Ｎｙポート）を有する。ＴＸ＿Ｎｘポートは、１つのトランシーバ回路の受信ポートとカップリングされ、ＲＸ１＿Ｎｘポートは、１つのトランシーバ回路の送信ポートとカップリングされ、ＴＸ＿Ｎｙポートは、他のトランシーバ回路の受信ポートとカップリングされ、ＲＸ１＿Ｎｙは他のトランシーバ回路の送信ポートとカップリングされ、ＲＸ２＿Ｎｘポートは第３の受信回路の送信ポートとカップリングされ、ＲＸ３＿Ｎｘポートは第５の受信回路の送信ポートとカップリングされ、ＲＸ４＿Ｎｘポートは第７の受信回路の送信ポートとカップリングされ、ＲＸ２＿Ｎｙポートは第４の受信回路の送信ポートとカップリングされ、ＲＸ３＿Ｎｙポートは第６の受信回路の送信ポートとカップリングされ、ＲＸ４＿Ｎｙポートは第８の受信回路の送信ポートとカップリングされる。
【００３９】
本実施例において、電子装置は、アンテナシステム、無線周波数回路、およびマルチウェイスイッチを備えることが分かる。アンテナシステムは４つのアンテナを備える。マルチウェイスイッチは、８つのＴポートと４つのＰポートを備える。マルチウェイスイッチは、無線周波数回路およびアンテナシステムとカップリングされ、電子装置の４つのアンテナを介してＳＲＳを順番に送信する。
【００４０】
可能な実施例では、無線周波数回路は、少なくとも１つの独立回路モジュールを備える。少なくとも１つの独立回路モジュールは、第１のポートおよび第２のポートを有する。第１のポートは送受信ポートを含み、第２のポートは受信ポートを含む。第１のポートと第１のＴポートは１対１のカップリング関係にあり、第２のポートと第２のＴポートは１対１のカップリング関係にある。
【００４１】
独立回路モジュールの送受信ポートは、送信回路と受信回路を集積したポートに対応する。独立回路モジュールの送信ポートは、送信回路のポートに対応する。独立回路モジュールの受信ポートは、受信回路のポートに対応する。
【００４２】
本実施例において、マルチウェイスイッチに適応された無線周波数回路は、少なくとも１つの独立回路モジュールを備え、したがって、適応の柔軟性を改善し、コストを削減することが有利であることが分かる。
【００４３】
可能な実施例では、図２に示すように、１つの独立回路モジュールを備える場合、独立回路モジュールは、２つの信号送受信回路、６つの受信回路、２つの第１のポート、６つの第２のポートを備える。各トランシーバ回路は、１つの受信回路と１つの送信回路を備える。各トランシーバ回路の送受信ポートは、独立回路モジュールの１つの第１ポートとカップリングされている。６つのトランシーバ回路のそれぞれの受信ポートは、独立回路モジュールの１つの第２のポートとカップリングされている。
【００４４】
本実施例において、無線周波数回路は、単に１つの独立回路モジュールを備え、高度の集積度を有し、小さいスペースを占有し、それによってコストを削減することが分かる。
【００４５】
可能な実施例では、図３に示すように、２つの独立回路モジュールを備える条件の下で、２つの独立回路モジュールは、第１の独立回路モジュールおよび第２の独立回路モジュールを備える。各独立回路モジュールは、１つのトランシーバ回路、３つの受信回路、１つの第１ポート、および３つの第２ポートを備える。トランシーバ回路は、１つの受信回路と１つの送信回路を備える。各トランシーバ回路の送受信ポートは、トランシーバ回路を備える独立回路モジュールの１つの第１のポートとカップリングされる。各受信回路の受信ポートは、受信回路を備える独立回路モジュールの１つの第２のポートとカップリングされる。
【００４６】
本実施例において、無線周波数回路は２つの独立回路モジュールを備え、独立回路モジュールの数は少なく、無線周波数回路は高度の集積度を有し、小さいスペースを占有し、それによりコストを削減することが分かる。さらに、２つの独立回路モジュールの構造が同じであるため、製造コストを削減することが分かる。
【００４７】
可能な実施例では、２つの独立回路モジュールを備える条件の下で、２つの独立回路モジュールは、第１の独立回路モジュールおよび第２の独立回路モジュールを備える。第１の独立回路モジュールは、２つのトランシーバ回路および２つの第１のポートを備える。各トランシーバ回路は、１つの受信回路と１つの送信回路を備える。各トランシーバ回路の送受信ポートは、トランシーバ回路を備える独立回路モジュールの１つの第１のポートとカップリングされる。第２の独立回路モジュールは、６つの受信回路および６つの第２のポートを備える。各受信回路の受信ポートは、受信回路を備える独立回路モジュールの１つの第２のポートとカップリングされる。
【００４８】
本実施例において、無線周波数回路は２つの独立回路モジュールを備え、独立回路モジュールの数は少なく、無線周波数回路は高度の集積度を有し、小さいスペースを占有し、それによりコストが削減されることが分かる。
【００４９】
可能な実施例では、図１Ｃに示されるような無線周波数回路について、３つの独立回路モジュールを備える条件の下で、３つの独立回路モジュールは、第１の独立回路モジュール、第２の独立回路モジュール、および第３の独立回路モジュールを備える。第１の独立回路モジュールおよび第２の独立回路モジュールは両方とも、１つのトランシーバ回路および１つの第１のポートを備える。トランシーバ回路は、１つの受信回路と１つの送信回路を備え、各トランシーバ回路の送受信ポートは、トランシーバ回路を備える独立回路モジュールの第１のポートとカップリングされる。第３の独立回路モジュールは、６つの受信回路と６つの第２ポートを備える。各受信回路の受信ポートは、受信回路を備える独立回路モジュールの１つの第２のポートとカップリングされる。
【００５０】
可能な実施例では、３つの独立回路モジュールを備える条件の下で、３つの独立回路モジュールは、第１の独立回路モジュール、第２の独立回路モジュール、および第３の独立回路モジュールを備える。第１の独立回路モジュールおよび第２の独立回路モジュールは両方とも、１つのトランシーバ回路、１つの受信回路、１つの第１のポート、および１つの第２のポートを備える。第３の独立回路モジュールは、４つの受信回路と４つの第２ポートを備える。各トランシーバ回路は、１つの受信回路と１つの送信回路を備える。各トランシーバ回路の送受信ポートは、トランシーバ回路を備える独立回路モジュールの第１のポートとカップリングされている。各受信回路の受信ポートは、受信回路を備える独立回路モジュールの第２のポートとカップリングされる。
【００５１】
本実施例では、無線周波数回路は３つの独立回路モジュールを備え、独立回路モジュールの数は少なく、無線周波数回路は集積度が高く、占有するスペースが小さいため、コストが削減されることがわかる。また、２つの独立回路モジュールは同じ構造であり、モジュールの多重化が改善され、製造コストが削減される。
【００５２】
可能な実施例では、図４に示すように、３つの独立回路モジュールを備える場合、３つの独立回路モジュールは、第１独立回路モジュール、第２独立回路モジュール、および第３独立回路モジュールを備える。第１の独立回路モジュールおよび第２の独立回路モジュールは両方とも、１つのトランシーバ回路、２つの受信回路、１つの第１のポート、および２つの第２のポートを備える。第３の独立回路モジュールは、２つの受信回路および２つの第２のポートを備える。各トランシーバ回路は、１つの受信回路と１つの送信回路を備える。各トランシーバ回路の送受信ポートは、トランシーバ回路を備える独立回路モジュールの第１のポートとカップリングされている。各受信回路の受信ポートは、受信回路を備える独立回路モジュールの第２のポートとカップリングされる。
【００５３】
本実施例では、無線周波数回路は３つの独立回路モジュールを備え、独立回路モジュールの数は少なく、無線周波数回路は集積度が高く、占有するスペースが小さいため、コストが削減されることがわかる。また、２つの独立回路モジュールは同じ構造であり、モジュールの多重化が改善され、製造コストが削減される。
【００５４】
可能な実施例では、図５に示すように、４つの独立回路モジュールを備える条件の下で、４つの独立回路モジュールは、第１独立回路モジュール、第２独立回路モジュール、第３独立回路モジュール、および第４独立回路モジュールを備える。第１の独立回路モジュールおよび第２の独立回路モジュールは両方とも、１つのトランシーバ回路および１つの第１のポートを備える。各トランシーバ回路は、１つの受信回路と１つの送信回路を備える。トランシーバ回路の送受信ポートは、トランシーバ回路を備える独立回路モジュールの第１のポートとカップリングされる。第３の独立回路モジュールおよび第４の独立回路モジュールは両方とも、３つの受信回路および３つの第２のポートを備える。各受信回路の受信ポートは、受信回路を備える独立回路モジュールの１つの第２のポートとカップリングされる。
【００５５】
本実施例において、無線周波数回路は４つの独立回路モジュールを備え、４つの独立回路モジュールの２つは同じであり、４つの独立回路モジュールの別の２つは同じであり、従ってモジュールの多重化が改善されて、製造コストが削減されることがわかる。
【００５６】
可能な実施例では、４つの独立回路モジュールを備える条件の下で、４つの独立回路モジュールは、第１の独立回路モジュール、第２の独立回路モジュール、第３の独立回路モジュール、および第４の独立回路モジュールを備える。第１の独立回路モジュールおよび第２の独立回路モジュールは両方とも、１つのトランシーバ回路、１つの受信回路、１つの第１のポート、および１つの第２のポートを備える。第３の独立回路モジュールおよび第４の独立回路モジュールは両方とも、２つのトランシーバ回路および２つの第２のポートを備える。トランシーバ回路は、１つの受信回路と１つの送信回路を備える。各トランシーバ回路の送受信ポートは、トランシーバ回路を備える独立回路モジュールの第１のポートとカップリングされている。各受信回路の受信ポートは、受信回路を備える独立回路モジュールの第２のポートとカップリングされる。
【００５７】
本実施例において、無線周波数回路は４つの独立回路モジュールを備え、４つの独立回路モジュールの２つは同じであり、４つの独立回路モジュールの別の２つは同じであり、従ってモジュールの多重化が改善されて、製造コストが削減されることがわかる。
【００５８】
可能な実施例では、図６に示すように、５つの独立回路モジュールを備える場合、５つの独立回路モジュールは、第１独立回路モジュール、第２独立回路モジュール、第３独立回路モジュール、第４独立回路モジュール、第５独立回路モジュールを備える。第１の独立回路モジュールおよび第２の独立回路モジュールは両方とも、１つのトランシーバ回路および１つの第１のポートを備える。トランシーバ回路は、１つの受信回路と１つの送信回路を備える。各トランシーバ回路の送受信ポートは、トランシーバ回路を備える独立回路モジュールの第１のポートとカップリングされている。第３の独立回路モジュール、第４の独立回路モジュール、および第５の独立回路モジュールはすべて、２つの受信回路および２つの第２のポートを備える。各受信回路の受信ポートは、受信回路を備える独立回路モジュールの第２のポートとカップリングされる。
【００５９】
本実施例において、無線周波数回路は５つの独立回路モジュールを備え、５つの独立回路モジュールのうちの２つは同じであり、５つの独立回路モジュールの残りの独立回路モジュールは同じであり、したがってモジュールの多重化が改善され、製造コストが削減されることがわかる。
【００６０】
可能な実施例では、６つの独立回路モジュールを備える条件の下で、６つの独立回路モジュールは、第１の独立回路モジュール、第２の独立回路モジュール、第３の独立回路モジュール、第４の独立回路モジュール、第５の独立回路モジュール、および第６の独立回路モジュールを備える。第１の独立回路モジュールおよび第２の独立回路モジュールは両方とも、１つの送信回路、１つの受信回路、１つの第１のポート、および１つの第２のポートを備える。各送信回路の送信ポートは、送信回路を備える独立回路モジュールの第１のポートとカップリングされる。各受信回路の受信ポートは、受信回路を備える独立回路モジュールの第２のポートとカップリングされる。第３の独立回路モジュール、第４の独立回路モジュール、第５の独立回路モジュール、および第６の独立回路モジュールはすべて、１つの受信回路および１つの第２のポートを備える。各受信回路の受信ポートは、受信回路を備える独立回路モジュールの第２のポートとカップリングされる。
【００６１】
可能な実施例では、７つの独立回路モジュールを備える条件の下で、７つの独立回路モジュールは、第１の独立回路モジュール、第２の独立回路モジュール、第３の独立回路モジュール、第４の独立回路モジュール、第５の独立回路モジュール、第６の独立回路モジュール、第７の独立回路モジュールを備える。第１の独立回路モジュールは、２つのトランシーバ回路および２つの第１のポートを備える。各トランシーバ回路は、１つの受信回路と１つの送信回路を備える。各トランシーバ回路の送受信ポートは、トランシーバ回路を備える独立回路モジュールの第１のポートとカップリングされている。第２の独立回路モジュール、第３の独立回路モジュール、第４の独立回路モジュール、第５の独立回路モジュール、第６の独立回路モジュール、および第７の独立回路モジュールはすべて、１つの受信回路および１つの第２のポートを備える。各受信回路の受信ポートは、受信回路を備える独立回路モジュールの第２のポートとカップリングされる。
【００６２】
説明する必要があるのは、無線周波数回路の実施例は様々であってよく、本開示はそれに限定されないことである。さらに、異なるトランシーバ回路の送受信ポートとカップリングされる第１のポートは互いに異なり、異なる受信回路の受信ポートとカップリングされる第２のポートは互いに異なる。
【００６３】
可能な実施例では、図７Ａに示すように、受信回路は、１つの低雑音増幅器（ＬＮＡ）および１つのフィルタを備える。フィルタの入力ポートは独立回路モジュールの第２のポートとカップリングされ、フィルタの出力ポートはＬＮＡの入力ポートとカップリングされ、ＬＮＡの出力ポートは無線周波数トランシーバの対応するポートとカップリングされる。
【００６４】
可能な実施例では、図７Ｂにおいて、トランシーバ回路は、１つのＬＮＡ、１つの電力増幅器（ＰＡ）、１つのフィルタ、１つのカプラ、および１つのスイッチを備える。ＬＮＡの入力ポートとＰＡの出力ポートはスイッチとカップリングされ、スイッチはフィルタとカップリングされ、フィルタはカプラとカップリングされ、カプラは独立モジュールの第１のポートとカップリングされる。
【００６５】
図７Ｂに示されるように、トランシーバ回路は、１つの受信回路および１つの送信回路を備える。スイッチを介してＬＮＡの入力ポートを選択すると、受信回路が導通し、第１のポート、カプラ、フィルタ、スイッチ、およびＬＮＡを介して無線周波数信号が受信される。スイッチを介してパワーアンプの出力ポートを選択すると、送信回路が導通し、無線周波数信号がＰＡ、スイッチ、フィルタ、カプラ、および第１のポートを介して送信される。
【００６６】
説明する必要があるのは、受信回路および送受信回路の実施例は様々であってよく、本開示はそれに限定されないことである。
【００６７】
可能な実施例では、４つのアンテナは、第１のアンテナ、第２のアンテナ、第３のアンテナ、および第４のアンテナを含む。第１のアンテナ、第２のアンテナ、第３のアンテナ、および第４のアンテナは、５Ｇ  ＮＲ周波数帯域で動作可能である。
【００６８】
５Ｇ  ＮＲ周波数帯域は、例えば、３．３ＧＨｚから３．８ＧＨｚおよび４．４ＧＨｚから５ＧＨｚを含んでもよい。
【００６９】
可能な実施例では、４つのアンテナは、第１のアンテナ、第２のアンテナ、第３のアンテナ、および第４のアンテナを含む。第１のアンテナおよび第４のアンテナは、ＬＴＥ周波数帯域および５Ｇ  ＮＲ周波数帯域で動作可能である第２のアンテナと第３のアンテナは、５Ｇ  ＮＲ周波数帯域でのみ動作する。
【００７０】
第１のアンテナと第４のアンテナは、ＬＴＥ端末の一部の周波数帯域でのＤＬ  ４ｘ４  ＭＩＭＯをサポートすることを目的としており、ＬＴＥ端末の受信アンテナのうち２つは５Ｇ  ＮＲで動作可能なアンテナと共有される。ＬＴＥ周波数帯域は、例えば、１８８０Ｈｚ〜１９２０ＭＨｚおよび２４９６Ｈｚ〜２６９０ＭＨｚを含んでもよい。
【００７１】
可能な実施例では、図８に示されるように、アンテナシステムは、第１のコンバイナおよび第２のコンバイナをさらに備える。第１のコンバイナは、第１のアンテナとカップリングされる第１のポート、電子装置のＬＴＥ  ４ｘ４  ＭＩＭＯにおける第１の受信経路とカップリングされる第２のポート、およびマルチウェイスイッチの対応するＰポートとカップリングされる第３のポートを有する。第２のコンバイナは、第４のアンテナとカップリングされる第１のポート、電子装置のＬＴＥ  ４ｘ４  ＭＩＭＯの第２の受信経路とカップリングされる第２のポート、およびマルチウェイスイッチの対応するＰポートとカップリングされる第３のポートを有する。
【００７２】
ＬＴＥ  ４ｘ４  ＭＩＭＯはダウンリンクＬＴＥ受信回路であり、第３の受信経路として定義できる。ＬＴＥは現在２つの受信経路を有するので、ＬＴＥ  ４ｘ４  ＭＩＭＯをサポートするために、第３の受信経路と第４の受信経路が追加される。
【００７３】
４つのアンテナのパフォーマンスに応じて、電子装置はパフォーマンスのよりよい１つのアンテナをスタンバイモードためのプライマリ受信（ＰＲｘ）に配置する。さらに、送信機能と受信機能の両方を備えたスイッチの第１のＴポートをＴｘおよびＰＲｘ機能用に構成できるので、アンテナを任意に切り替えることができる。このように、共有アンテナのカップリングポートを制限する必要はない。
【００７４】
可能な実施例では、図９に示されるように、アンテナシステムは、第１の単極双投（ＳＰＤＴ）スイッチおよび第２のＳＰＤＴスイッチをさらに備える。第１のＳＰＤＴスイッチは、第１のアンテナとカップリングされる第１のポート、電子装置のＬＴＥ  ４ｘ４  ＭＩＭＯにおける第１の受信経路とカップリングされる第２のポート、およびマルチウェイスイッチの対応するＰポートとカップリングされる第３のポートを有する。第２のＳＰＤＴスイッチは、第４のアンテナとカップリングされる第１のポート、電子装置のＬＴＥ  ４ｘ４  ＭＩＭＯの第２の受信経路とカップリングされる第２のポート、およびマルチウェイスイッチの対応するＰポートとカップリングされる第３のポートを有する。
【００７５】
図１０を参照する。図１０は、本開示の一実施形態による無線周波数システムを示す概略構造図である。無線周波数システムは、アンテナシステム、無線周波数回路、および上記の実施形態のいずれかによるマルチウェイスイッチを備える。マルチウェイスイッチは、無線周波数回路およびアンテナシステムとカップリングされている。マルチウェイスイッチは、８つのＴポートと４つのＰポートを有する。８つのＴポートには２つの第１のＴポートが含まれ、２つの第１のＴポートのそれぞれは４つのＰポートのすべてとカップリングされる。アンテナシステムは、４つのＰポートに対応する４つのアンテナを備える。マルチウェイスイッチは、４つのアンテナを介してＳＲＳを順番に送信する機能を実装するように構成されている。
【００７６】
電子装置の無線周波数システムの送信経路および受信経路について、送信経路は、１つの独立した４Ｐ８Ｔスイッチを備えるか、または１つの独立したＳＰＤＴスイッチおよび１つの独立した４Ｐ８Ｔスイッチを備えてもよいことが分かる。受信経路は、１つの独立した４Ｐ８Ｔスイッチを備える場合と、１つの独立したＳＰＤＴスイッチと１つの独立した４Ｐ８Ｔスイッチを備える場合がある。無線周波数システムの送信経路と受信経路のスイッチ機能を４Ｐ８Ｔスイッチに集積することにより、送信経路と受信経路の独立したスイッチの数を効果的に減らすことができる。
【００７７】
図１１を参照する。図１１は本開示の一実施形態による通信装置を示す概略構造図である。通信装置は、アンテナシステム、無線周波数回路、および上記の実施形態のいずれかで説明されたマルチウェイスイッチを備える。マルチウェイスイッチは、無線周波数回路およびアンテナシステムとカップリングされている。マルチウェイスイッチは、８つのＴポートと４つのＰポートを有する。８つのＴポートには２つの第１のＴポートが含まれ、２つの第１のＴポートのそれぞれは４つのＰポートのすべてとカップリングされる。アンテナシステムは、４つのＰポートに対応する４つのアンテナを備える。マルチウェイスイッチは、４つのアンテナを介してＳＲＳを順番に送信する機能を通信装置に実装するように構成される。
【００７８】
また、図１２に示されるように、本開示の実施形態で説明されるアンテナシステムの４つのアンテナはまた、電子装置のワイヤレス充電レシーバによって多重化され得る。ワイヤレス充電レシーバは、受信アンテナおよび受信制御回路を備える。受信アンテナは、ワイヤレス充電レシーバの送信アンテナとマッチする（同じまたは類似の周波数で共振し、放射共鳴磁気カップリングの方法でエネルギーをワイヤレスで転送する）。受信制御回路は、ループアレイアンテナを介して、エネルギーを直流（ＤＣ）に変換し、出力して電池を充電する。受信制御回路は、ループアレイアンテナの周波数を動的に調整し、ループアレイアンテナの周波数をワイヤレス充電送信機の送信アンテナの周波数とマッチさせて、ペアリングされた充電を達成することができる。あるいは、受信制御回路は、周波数変更範囲でリアルタイムにワイヤレス充電レシーバと対話して、「排他的な暗号化」ワイヤレス充電モードを実装する。
【００７９】
受信アンテナは、４つのアンテナのうちの少なくとも１つを含むアンテナであってもよい（複数のアンテナの場合、複数のアンテナはスイッチを介してストローブされる）。
【００８０】
例えば、図１３に示すように、受信アンテナは、上述した４つのアンテナを含むループアレイアンテナである。４つのアンテナには、アンテナ１、アンテナ２、アンテナ３、およびアンテナ４が含まれる。アンテナ１とアンテナ４は、ＬＴＥ周波数帯域と５Ｇ  ＮＲ周波数帯域の両方で動作し、アンテナ２とアンテナ３は、５Ｇ  ＮＲ周波数帯域でのみ動作する。アンテナ１のポートとアンテナ４のポートは、ループアレイアンテナのポートとして使用される。隣接するアンテナは、分離機能を備えたゲート回路１７０を介してカップリングされる。ゲート回路１７０は、スペーサー１７１およびスイッチ１７２を備え、スペーサー１７１は導体であり、スイッチ１７２はさらにコントローラーとカップリングされる。電子装置は、ワイヤレス充電モードで各ゲート回路１７０のスイッチ１７２をオンに切り替えて、エネルギーを受け取るループアレイアンテナを形成することができる。アンテナ間にスペーサ１７１を追加することにより、ゲート回路１７０は、通常の通信モードにおける電子装置の複数のアンテナ間の相互カップリングを低減し、複数のアンテナ間の分離を改善し、アンテナの性能を最適化できる。一方、複数のアンテナを直列とカップリングして、スイッチ１７１を介してループアレイアンテナを形成し、送信アンテナとよりよくマッチしてエネルギーを転送することができる。また、アンテナ１およびアンテナ４は、アンテナ２およびアンテナ３よりも能力が強いため、ループアレイアンテナを配置することにより、送信時のエネルギーロスを極力低減することができる。
【００８１】
上記は、本開示の実施形態の実施例である。当業者は、本開示の実施形態に基づいていくつかの改善および仕上げを行うことができることを指摘しておく。これらの改善および仕上げは、本開示の保護範囲であると解釈されるべきである。
【図１Ａ】
2021511724.tif 000003
【図１Ｂ】
2021511724.tif 000004
【図１Ｃ】
2021511724.tif 000005
【図２】
2021511724.tif 000006
【図３】
2021511724.tif 000007
【図４】
2021511724.tif 000008
【図５】
2021511724.tif 000009
【図６】
2021511724.tif 000010
【図７Ａ】
2021511724.tif 000011
【図７Ｂ】
2021511724.tif 000012
【図８】
2021511724.tif 000013
【図９】
2021511724.tif 000014
【図１０】
2021511724.tif 000015
【図１１】
2021511724.tif 000016
【図１２】
2021511724.tif 000017
【図１３】
2021511724.tif 000018
【手続補正書】
【提出日】令和2年7月16日(2020.7.16)
【手続補正１】
【補正対象書類名】明細書
【補正対象項目名】全文
【補正方法】変更
【補正の内容】
【発明の詳細な説明】
【技術分野】
【０００１】
本開示は、通信技術の分野に関し、特に、マルチウェイスイッチ、無線周波数システム、および通信装置に関する。
【背景技術】
【０００２】
スマートフォンなどの電子機器が広く利用されるとともに、スマートフォンはますます多くのアプリケーションをサポートし、ますます強力になっている。スマートフォンは多様化で個性化的に開発されており、ユーザーの生活に不可欠な電子製品となっている。第４世代（４Ｇ）モバイル通信システムでは、電子装置は通常、シングルアンテナまたはデュアルアンテナの無線周波数（ＲＦ）システムアーキテクチャを採用している。現在、第５世代（５Ｇ）モバイル通信システムの新しい無線（ＮＲ）システムでは、４アンテナＲＦシステムアーキテクチャをサポートする電子装置が提案されている。
【発明の概要】
【０００３】
本開示の実施形態は、マルチウェイスイッチ、無線周波数システム、および通信システムを提供する。
【０００４】
本開示の実施形態の第１の態様によれば、マルチウェイスイッチが提供される。マルチウェイスイッチは、８つのＴポートと４つのＰポートを有する。８つのＴポートには２つの第１のＴポートが含まれ、２つの第１のＴポートのそれぞれは４つのＰポートのすべてとカップリングされる。マルチウェイスイッチは、無線周波数回路および通信装置のアンテナシステムとカップリングされるように構成される。アンテナシステムは、４つのＰポートに対応する４つのアンテナを備える。マルチウェイスイッチは、４つのアンテナを介してサウンディング基準信号（ＳＲＳ）を順番に送信する機能を実装するように構成されている。
【０００５】
本開示の実施形態の第２の態様によれば、無線周波数システムが提供される。無線周波数システムは、アンテナシステム、無線周波数回路、ならびに無線周波数回路およびアンテナシステムとカップリングされるマルチウェイスイッチを備える。マルチウェイスイッチは、８つのＴポートと４つのＰポートを有する。８つのＴポートには２つの第１のＴポートが含まれ、２つの第１のＴポートのそれぞれは４つのＰポートのすべてとカップリングされる。アンテナシステムは、４つのＰポートに対応する４つのアンテナを備える。マルチウェイスイッチは、４つのアンテナを介してサウンディング基準信号（ＳＲＳ）を順番に送信する機能を実装するように構成されている。
【０００６】
本開示の実施形態の第３の態様によれば、通信装置が提供される。通信装置は、アンテナシステム、無線周波数回路、ならびに無線周波数回路およびアンテナシステムとカップリングされるマルチウェイスイッチを備える。マルチウェイスイッチは、８つのＴポートと４つのＰポートを有する。８つのＴポートには２つの第１のＴポートが含まれ、２つの第１のＴポートのそれぞれは４つのＰポートのすべてとカップリングされる。アンテナシステムは、４つのＰポートに対応する４つのアンテナを備える。マルチウェイスイッチは、４つのアンテナを介してサウンディング基準信号（ＳＲＳ）を順番に送信する機能を実装するように構成されている。
【０００７】
本開示の実施形態では、ワイヤレス通信装置は、アンテナシステム、無線周波数回路、およびマルチウェイスイッチを備えることが分かる。アンテナシステムは４つのアンテナを備える。マルチウェイスイッチは、８つのＴポートと４つのＰポートを備える。マルチウェイスイッチは、無線周波数回路およびアンテナシステムとカップリングされ、４つのＰポートに対応する送信アンテナを介してＳＲＳを順番に送信するプリセット機能を実装する。
【図面の簡単な説明】
【０００８】
本開示の実施形態または関連技術における技術案をより明確に説明するために、以下は、実施形態または関連技術を説明するために必要な添付図面を簡単に紹介する。明らかに、以下の説明における添付の図面は、単に本開示のいくつかの実施形態を例示している。当業者は、創造的な努力なしに、これらの添付図面に基づいて他の図面を入手することもできる。
【図１Ａ】図１Ａは、本開示の実施形態による電子装置を示す概略構造図である。
【図１Ｂ】図１Ｂは、本開示の実施形態による４Ｐ８Ｔスイッチを示す概略構造図である。
【図１Ｃ】本開示の実施形態による別の電子装置を示す概略構造図である。
【図２】図２は、本開示の実施形態による電子装置の無線周波数回路を示す概略構造図である。
【図３】図３は、本開示の実施形態による電子装置の別の無線周波数回路を示す概略構造図である。
【図４】本開示の実施形態による電子装置の別の無線周波数回路を示す概略構造図である。
【図５】図５は、本開示の実施形態による電子装置の別の無線周波数回路を示す概略構造図である。
【図６】本開示の実施形態による電子装置の別の無線周波数回路を示す概略構造図である。
【図７Ａ】図７Ａは、本開示の実施形態による受信回路を示す概略構造図である。
【図７Ｂ】図７Ｂは、本開示の実施形態によるトランシーバ回路を示す概略構造図である。
【図８】図８は、本開示の実施形態による電子装置のアンテナシステムを示す概略構造図である。
【図９】本開示の実施形態による電子装置の別のアンテナシステムを示す概略構造図である。
【図１０】本開示の実施形態による無線周波数システムを示す概略構造図である。
【図１１】本開示の実施形態による通信装置を示す概略構造図である。
【図１２】本開示の実施形態による、通信装置のアンテナを多重化することが可能なワイヤレス充電レシーバを示す概略図である。
【図１３】図１３は、本開示の実施形態による４つのアンテナを備えるループアレイアンテナを示す概略構造図である。
【発明を実施するための形態】
【０００９】
本開示の実施形態における技術案は、本開示の実施形態の添付の図面を参照して、以下に明確かつ完全に説明される。明らかに、説明される実施形態は、本開示のすべてではなく、単にいくつかの実施形態である。創造的な努力なしに本開示の実施形態に基づいて当業者によって得られる他のすべての実施形態は、本開示の保護範囲内に含まれるものとする。
【００１０】
本開示の明細書、特許請求の範囲、および添付の図面で使用される「第１」、「第２」などの用語は、特定の順序を説明するのではなく、異なるオブジェクトを区別するために使用される。「含む」、「備える」、および「有する」という用語ならびにそれらの変形は、非排他的な包含をカバーすることを意図している。例えば、一連のステップまたはユニットを含むプロセス、方法、システム、製品、または設備は、リストされたステップまたはユニットに限定されない。代わりに、リストされていない他のステップまたはユニットをオプションで含めることができる。あるいは、プロセス、方法、製品、または装置に固有の他のステップまたはユニットも含めることができる。
【００１１】
本明細書で言及される「実施例」または「実施形態」という用語は、実施形態に関連して説明される特定の特徴、構造、または特性が本開示の少なくとも１つの実施形態に含まれ得ることを意味する。本明細書の様々な場所に現れるフレーズは、必ずしも同じ実施形態を指すものではなく、他の実施形態と相互に排他的な独立または代替の実施形態を指すものでもない。本明細書で説明される実施形態は、他の実施形態と組み合わせることができることが当業者によって明示的および暗黙的に理解される。
【００１２】
本開示の実施形態に係る通信装置は、電子装置またはネットワーク装置を含み、電子装置は、ワイヤレス通信機能を有する様々なハンドヘルド装置、車載装置、ウェアラブル装置、コンピューティング装置、またはワイヤレスモデムに接続される他の処理装置、およびさまざまな形式のユーザー機器（ＵＥ）、移動局（ＭＳ）、端末装置などを含んでもよい。説明を簡単にするために、上記の装置をまとめて電子装置と呼ぶ。
【００１３】
ネットワーク装置は、基地局であってもよい。基地局は、１つまたは複数の電子装置と通信することができ、電子装置の機能の一部を有する１つまたは複数の基地局とも通信することができる（たとえば、マクロ基地局とマイクロ基地局たとえばアクセスポイント（ＡＰ）との間の通信）。基地局は、時分割同期符号分割多元接続（ＴＤ−ＳＣＤＭＡ）システムの基地トランシーバ局（ＢＴＳ）であってもよく、またロングタームエボリューション（ＬＴＥ）システムの進化したノードＢ（ｅＮＢ）であってもよい。第５世代（５Ｇ）システムの新しい無線（ＮＲ）システムの基地局であってもよい。さらに、基地局は、ＡＰ、送信ポイント、中央ユニット（ＣＵ）または他のネットワークエンティティであってもよく、上記のネットワークエンティティの機能の一部またはすべてを含んでもよい。
【００１４】
以下の実施形態では、電子装置は、通信装置を説明するための例として取り上げられる。
【００１５】
現在、携帯電話の４つのアンテナでのサウンディング基準信号（ＳＲＳ）の切り替えは、チャイナモバイル通信会社（ＣＭＣＣ）にとって、チャイナモバイル５Ｇスケールテストテクニカルホワイトペーパー＿ターミナルで必須のオプションであり、第３世代パートナーシッププロジェクト（３ＧＰＰ）ではオプションではある。ＳＲＳは主に、基地局が携帯電話の４つのアンテナのアップリンク信号を測定して４つのチャネルの品質とパラメータを確定し、チャネルのレシプロシティーに応じて、４つのチャネルに対してダウンリンクの大規模多入力多出力（ＭＩＭＯ）アンテナアレイのビームフォーミングを実行し、そして最後に、ダウンリンク４ｘ４  ＭＩＭＯが最高のデータ伝送パフォーマンスが得られるためのものである。４ｘ４  ＭＩＭＯは、基地局がデータを送信するための４つのアンテナを有し、端末装置がデータを受信するための４つのアンテナを有することを指す。
【００１６】
４つのアンテナにおけるＳＲＳスイッチングの要件を満たすために、本開示の実施形態は、簡略化された４Ｐ８Ｔアンテナスイッチに基づく無線周波数アーキテクチャを提供する。３Ｐ３Ｔ／ＤＰＤＴ／マルチウェイスモールスイッチのスイッチングスキームと比較して、本開示のスイッチングスキームは、各経路の直列スイッチの数を減らすことができ（スイッチのすべてまたは一部が４Ｐ８Ｔスイッチに集積されている）、リンク損失を減らし、端末全体の送信および受信パフォーマンスを最適化する。以下、本開示の実施形態について詳細に説明する。
【００１７】
図１Ａを参照する。図１Ａは、本開示の一実施形態による電子装置１００を示す概略構造図である。電子装置１００は、デュアル周波数シングル送信モードをサポートする、すなわち、電子装置１００は、デュアル周波数帯域ウォンアップリンク送信経路またはデュアル周波数バンドフォアダウンリンク受信経路をサポートすることができる。電子装置は、マルチウェイスイッチ１０、アンテナシステム２０、および無線周波数回路３０を備える。アンテナシステム２０は、４つのアンテナを有する。マルチウェイスイッチ１０は、８つのＴポートと４つのＰポートを備える。８つのＴポートには２つの第１のＴポートが含まれ、各第１のＴポートは４つのＰポートと完全とカップリングされる。つまり、各第１のＴポートは４つのＰポートのすべてとカップリングされる。４つのＰポートと４つのアンテナは１対１のカップリング関係にある。つまり、４つのポートのそれぞれは４つのアンテナの対応するアンテナとカップリングされる。
【００１８】
マルチウェイスイッチ１０は、無線周波数回路３０およびアンテナシステム２０とカップリングされて、電子装置１００のプリセット機能を実装する。プリセット機能は、４つのアンテナを介してＳＲＳを順番に送信する機能であり、４ポートＳＲＳ送信機能として理解されてもよい。
【００１９】
電子装置は、５Ｇ  ＮＲ携帯電話端末または他の５Ｇ  ＮＲ端末装置、例えば、顧客構内機器（ＣＰＥ）またはモバイルＷｉｆｉであってもよい。
【００２０】
本開示の実施形態における「Ｐポート」は、「分極ポート」の略であり、アンテナとカップリングされるポートを指す。本開示の実施形態における「Ｔポート」は、「スローポート」の略語であり、無線周波数回路とカップリングされるポートを指す。本開示の実施形態では、４つのＰポートおよび８つのＴポートを備える。マルチウェイスイッチ１０を直感的に理解するために、本開示の実施形態では、マルチウェイスイッチ１０は、４Ｐ８Ｔスイッチとも呼ばれる。
【００２１】
本開示の実施形態では、完全なカップリングは、Ｔポートに対して定義され、ＴポートがすべてのＰポートとカップリングされることを示す。第１のＴポートは完全とカップリングされるポートで、４つのＰポートとカップリングされる。
【００２２】
４つのアンテナを介してＳＲＳを順番に送信することは、電子装置１００がポーリングメカニズムに基づいて基地局と対話して、４つのアンテナのそれぞれに対応するアップリンクチャネルの品質を確定するプロセスを指す。
【００２３】
８つのＴポートには、６つの第２のＴポートがさらに含まれている。各第２のＴポートは、４つのＰポートの１つと独立してカップリングされる。つまり、１つの第２のＴポートは単に１つのＰポートとカップリングされるが、１つのＰポートは異なる第２のＴポートとカップリングされる。同じ周波数帯域に対応する第２のＴポートは、異なるＰポートとカップリングされる。４つのＰポートは４つのアンテナとカップリングされ、４つのＰポートと４つのアンテナは１対１の対応関係にある。第１のＴポートは、少なくとも送信機能をサポートする、すなわち、第１のＴポートは、無線周波数信号を送信するように構成でき、無線周波数信号を受信および送信するようにも構成できる。第２のＴポートは受信機能のみをサポートし、つまり、第２のＴポートは無線周波数信号を受信するように構成されているだけである。
【００２４】
６つの第２のＴポートは、第１の周波数帯域の無線周波数信号を受信する３つの第２のＴポートと第２の周波数帯域の無線周波数信号を受信する３つの第２のＴポートを含み、第１の周波数帯域と第２の周波数帯域は重ならない。
【００２５】
同じ周波数帯域に対応するＴポートとカップリングされるＰポートが互いに異なるということは、同じ周波数帯域の無線周波数信号を受信するためのＴポートとカップリングされるＰポートが互いに異なることを意味する。たとえば、第２のＴポート１は第１周波数帯域の無線周波数信号を受信するように構成され、第２のＴポート２は第１周波数帯域の無線周波数信号を受信するように構成され、第２のＴポート１はＰポートとカップリングされ、第２のＴポート２はＰポート２とカップリングされ、Ｐポート１はＰポート２とは異なる。
【００２６】
Ｔポートに対して独立したカップリングが定義されており、１つのＴポートが単に１つのＰポートとカップリングされていることを指す。本開示の実施形態では、６つの第２のＴポートは、独立したカップリングのポートである。
【００２７】
第１の周波数帯域および第２の周波数帯域は、５Ｇ  ＮＲ周波数帯域である。説明を簡単にするために、「ＮＲ  Ｂａｎｄ  Ｎｘ」は５Ｇ  ＮＲ電子装置がサポートする第１の周波数帯域を示し、「ＮＲ  Ｂａｎｄ  Ｎｙ」は５Ｇ  ＮＲ電子装置がサポートする第２の周波数帯域を示す。たとえば、第１の周波数帯域は３．３ＧＨｚ〜３．８ＧＨｚで、第２の周波数帯域は４．４ＧＨｚ〜５ＧＨｚである。または、第１の周波数帯域は４．４ＧＨｚ〜５ＧＨｚで、第２の周波数帯域は３．３ＧＨｚ〜３．８ＧＨｚである。
【００２８】
本開示の実施形態では、８つのＴポートは、第１のＴポートおよび第２のＴポートに分類される。第１のＴポートは完全カップリングポートであり、第１のＴポートの数は２つである。１つの第１のＴポートは、ＮＲ  Ｂａｎｄ  Ｎｘの無線周波数信号を送信および受信するように構成され、他の第１のＴポートは、ＮＲ  Ｂａｎｄ  Ｎｙの無線周波数信号を送信および受信するように構成される。第２のＴポートは独立したカップリングのポートであり、第２のＴポートの数は６である。６つの第２のＴポートは、ＮＲ  Ｂａｎｄ  Ｎｘの無線周波数信号を受信するための３つの第２のＴポートと、ＮＲ  Ｂａｎｄ  Ｎｙの無線周波数信号を受信するための３つの第２のＴポートを含む。
【００２９】
図１Ｂを参照する。図１Ｂは、本開示の実施形態による４Ｐ８Ｔスイッチを示す概略構造図である。図１Ｂに示すように、１つの第１のＴポートは「ＮＲ  Ｂａｎｄ  Ｎｘ  ＴＲＸ１」ポートであり、ＮＲ  Ｂａｎｄ  Ｎｘの無線周波数信号を送受信するように構成され、もう１つの第１のＴポートは「ＮＲ  Ｂａｎｄ  Ｎｙ  ＴＲＸ１」ポートであり、ＮＲ  Ｂａｎｄ  Ｎｙの無線周波数信号を送受信するように構成される。６つの第２のＴポートは、それぞれ「ＮＲ  Ｂａｎｄ  Ｎｘ  ＲＸ２」ポート、「ＮＲ  Ｂａｎｄ  Ｎｙ  ＲＸ２」ポート、「ＮＲ  Ｂａｎｄ  Ｎｘ  ＲＸ３」ポート、「ＮＲ  Ｂａｎｄ  Ｎｙ  ＲＸ３」ポート、「ＮＲ  Ｂａｎｄ  Ｎｘ  ＲＸ４」ポート、および「ＮＲ  Ｂａｎｄ  Ｎｙ  ＲＸ４」ポートである。４つのＰポートは、それぞれＰ１ポート、Ｐ２ポート、Ｐ３ポート、およびＰ４ポートである。「ＮＲ  Ｂａｎｄ  Ｎｘ  ＴＲＸ１」ポートはそれぞれＰ１ポート、Ｐ２ポート、Ｐ３ポート、およびＰ４ポートとカップリングされ、「ＮＲ  Ｂａｎｄ  Ｎｙ  ＲＸ１」ポートはＰ１ポート、Ｐ２ポートとカップリングされ、それぞれＰ３ポートとＰ４ポート。「ＮＲ  Ｂａｎｄ  Ｎｘ  ＲＸ２」ポート、「ＮＲ  Ｂａｎｄ  Ｎｘ  ＲＸ３」ポート、「ＮＲ  Ｂａｎｄ  Ｎｘ  ＲＸ４」ポートは、ＮＲ  Ｂａｎｄ  Ｎｘの無線周波数信号を受信するように構成されたポートである。「ＮＲ  Ｂａｎｄ  Ｎｙ  ＲＸ２」ポート、「ＮＲ  Ｂａｎｄ  Ｎｙ  ＲＸ３」ポート、および「ＮＲ  Ｂａｎｄ  Ｎｙ  ＲＸ４」ポートは、ＮＲ  Ｂａｎｄ  Ｎｙの無線周波数信号を受信するように構成されたポートである。同一チャネル干渉を回避するために、ＮＲ  ＢＡＮＤ  Ｎｘの無線周波数信号を受信するように構成された３つの第２のＴポートと独立してカップリングされるＰポートは互いに異なり、ＮＲ  ＢＡＮＤ  Ｎｙの無線周波数信号を受信するように構成された３つの第２のＴポートと独立してカップリングされるＰポートは互いに異なる。図１Ｂでは、「ＮＲ  ＢＡＮＤ  Ｎｘ  ＲＸ２」ポートおよび「ＮＲ  ＢＡＮＤ  Ｎｙ  ＲＸ２」は、Ｐ１ポートとカップリングされ、「ＮＲ  ＢＡＮＤ  Ｎｘ  ＲＸ３」ポートおよび「ＮＲ  ＢＡＮＤ  Ｎｙ  ＲＸ３」ポートは、Ｐ３ポートとカップリングされ、  「ＮＲ  Ｂａｎｄ  Ｎｘ  ＲＸ４」ポートと「ＮＲ  Ｂａｎｄ  Ｎｙ  ＲＸ４」ポートはＰ４ポートとカップリングされている。説明する必要があるのは、第２のＴポートがＰポートとカップリングされている接続方法が可能な例にすぎず、必要なのは、第１の周波数帯域の無線周波数信号を受信するように構成される３つの第２のＴポートに独立してカップリングされているＰポートが、第２の周波数帯域の無線周波数信号を受信するように構成される３つの第２のＴポートに独立してカップリングされるＰポートが、互いに異なるという条件だけである。
【００３０】
本開示の実施形態に示されるマルチウェイスイッチ１０のＴポートとＰポートとの間のカップリング、独立カップリング、完全カップリング、または他の種類のカップリングは、Ｔポートが第１のスイッチトランジスタを介してＰポートとカップリングされることを指す。第１のスイッチトランジスタは、ＴポートとＰポートとの間の通信（ＴポートからＰポートへの一方向通信およびＰポートからＴポートへの一方向通信を含む）を制御するように構成される。第１のスイッチトランジスタは、例えば、３つの電界効果トランジスタ（例えば、金属酸化物半導体（ＭＯＳ）トランジスタ）を備えるスイッチアレイであってもよい。第１のスイッチトランジスタがオフされ、接地されていない場合、寄生パラメータ（寄生容量、寄生インダクタンスなど）は、接続されている他のポートのパフォーマンスに大きく影響する。したがって、第１のスイッチトランジスタは、３つのＭＯＳトランジスタで実装される。第１のスイッチトランジスタがオフされると、両端の２つのＭＯＳトランジスタがオフされ、中央の１つのＭＯＳトランジスタが接地される。ＴポートとＰポートとの間の第１のスイッチトランジスタに加えて、マルチウェイスイッチ１０は、単にＴポートに隣接して配置された第２のスイッチトランジスタおよび単にＰポートに隣接して配置された第２のスイッチトランジスタをさらに備える。第２のスイッチトランジスタは、接地スイッチトランジスタと呼ぶこともできる。各Ｔポートには１つの接地スイッチトランジスタを設けることができ、各Ｐポートには１つの接地スイッチトランジスタを設けることもできる。ＴポートまたはＰポートを信号送信および信号受信に使用されていない場合、対応する接地スイッチトランジスタがオンにされ、ＴポートまたはＰポートが信号受信または信号送信に使用される場合、対応する接地スイッチトランジスタがオフにされる。第２のスイッチトランジスタは、対応するポート（ＴポートまたはＰポート）をアクティブにするように構成され、例えば、ＭＯＳトランジスタであってもよい。本開示では、第１のスイッチトランジスタおよび第２のスイッチトランジスタの具体的な構成は限定されない。一実施形態では、電子装置１００は、第１のスイッチトランジスタを介して、ＴポートとＰポートとの間の経路の導通を制御することができる。一実施形態では、電子装置１００は、マルチウェイスイッチ１０のスイッチトランジスタとカップリングされる専用コントローラを備えてもよい。
【００３１】
マルチウェイスイッチ１０は、電界効果トランジスタを備える。たとえば、８つのＴポートを備え、マルチウェイスイッチが８つのＴポートの間における電界効果トランジスタを備えると仮定する。各Ｔポートが４つのＰポートと完全とカップリングされている場合、マルチウェイスイッチの電界効果トランジスタの数は４＋８＊４＊３＋４＝１０４である。２つのＴポートのみが４つのＰポートと完全とカップリングされている場合、マルチウェイスイッチの電界効果トランジスタの数は８＋（２＊４＋（８−２）＊１）＊３＋４＝５４である。明らかに、本開示の実施形態を適用することにより、４Ｐ８Ｔスイッチの電界効果トランジスタの数、体積、およびコストを低減することができ、それによって性能を改善することができる。
【００３２】
さらに、電子装置１００は、無線周波数トランシーバをさらに備える。無線周波数トランシーバは、無線周波数回路とカップリングされ、無線周波数トランシーバ、無線周波数回路、マルチウェイスイッチ、およびアンテナシステムは、電子装置の無線周波数システムを構成する。
【００３３】
４つのＰポートと完全とカップリングされるＴポートの数を制限することにより、電子装置の無線周波数システムのスイッチの数を効果的に減らすことができる。完全カップリングのＴポートの数は、無線周波数システムのパフォーマンスに影響する。
【００３４】
あるいは、図１Ｃを参照する。図１Ｃは、本開示の一実施形態による電子装置を示す概略構造図である。図１Ｃに示すように、電子装置１００は、無線周波数トランシーバおよび３つの独立回路モジュールを備える。１つの独立回路モジュールは、トランシーバ回路を備え、トランシーバ回路は、ＮＲ  Ｂａｎｄ  Ｎｘの無線周波数信号の送信をサポートする第１の送信経路と、ＮＲ  Ｂａｎｄ  Ｎｘの無線周波数信号の受信をサポートする第１の受信経路とをカップリングすることによって形成される。別の独立回路モジュールは、トランシーバ回路を備え、トランシーバ回路は、ＮＲ  Ｂａｎｄ  Ｎｙの無線周波数信号の送信をサポートする第２の送信経路と、ＮＲ  Ｂａｎｄ  Ｎｙの無線周波数信号の受信をサポートする第２の受信経路とをカップリングすることによって形成される。別の独立回路モジュールは６つの受信回路を備え、６つの受信回路はそれぞれＮＲ  Ｂａｎｄ  Ｎｘの無線周波数信号の受信をサポートする第３の受信経路、ＮＲ  Ｂａｎｄ  Ｎｙの無線周波数信号の受信をサポートする第４の受信経路、ＮＲ  Ｂａｎｄ  Ｎｘの無線周波数信号の受信をサポートする第５の受信経路、ＮＲ  Ｂａｎｄ  Ｎｙの無線周波数信号の受信をサポートする第６の受信経路、ＮＲ  Ｂａｎｄ  Ｎｘの無線周波数信号の受信をサポートする第７の受信経路、およびＮＲ  Ｂａｎｄ  Ｎｙの無線周波数信号の受信をサポートする第８の受信経路である。
【００３５】
本開示の実施形態では、無線周波数トランシーバは、無線周波数信号を送信および受信するように構成される。アップリンクでは、無線周波数トランシーバは、ベースバンド信号を放射無線周波数信号に変換するように構成されている。放射無線周波数信号は、トランシーバ回路によって処理され、例えば、トランシーバ回路によって増幅およびフィルタリングされる。処理された放射無線周波数信号は、アンテナによって特定の周波数帯域の電磁波に変換されて放射される。ダウンリンクでは、アンテナは指定された周波数帯域の電磁波を受信し、電磁波を無線周波数信号に変換し、無線周波数信号を増幅およびフィルタリングするなどの処理を行い、処理された無線周波数信号を無線周波数トランシーバに送信する。無線周波数トランシーバは、受信した無線周波数信号をベースバンドチップによって処理されるベースバンド信号に復調するように構成されている。
【００３６】
本開示の実施形態では、トランシーバ回路は、１つの送信ポート、１つの受信ポート、および１つの送受信ポートを有する。各受信回路は、１つの受信ポートと１つの送信ポートを有する。送受信回路の「送受信ポート」、「送信ポート」、「受信ポート」とは、１つの送信回路と１つの受信回路を集積した後に形成されるポートをいう。送受信ポートは、無線周波数信号を送受信するように構成され、送信ポートは、無線周波数信号を送信するように構成され、受信ポートは、無線周波数信号を受信するように構成される。図面に示される送信ポート、受信ポート、および送受信ポートなどのポートは例示であり、正確なポート位置を示すことを意図しておらず、制限を課すものではないことに留意されたい。
【００３７】
マルチウェイスイッチ１０は、２つの第１のＴポートおよび６つの第２のＴポートを有する。図１Ｃに示すように、２つの第１のポートは、それぞれ、２つのトランシーバ回路の送受信ポートに対応してカップリングされる。６つの第２のＴポートは、それぞれ、６つの受信回路の受信ポートに対応してカップリングされる。ＮＲ  Ｂａｎｄ  Ｎｘの無線周波数信号を受信するように構成された６つの第２のＴポートのうちの３つは、それぞれ第３の受信回路の受信ポート、第５の受信回路の受信ポート、および第７の受信回路の受信ポートとカップリングされる。ＮＲ  Ｂａｎｄ  Ｎｙの無線周波数信号を受信するように構成された６つの第２のＴポートのうちの３つは、それぞれ第４の受信回路の受信ポート、第６の受信回路の受信ポート、および第８の受信回路の受信ポートとカップリングされる。
【００３８】
無線周波数トランシーバは２つのトランシーバ回路と６つの受信回路に適応させる必要があるので、無線周波数トランシーバは少なくとも２つの送信ポートと８つの受信ポートを有する。図１Ｃに示すように、無線周波数トランシーバは２つの送信ポート（ＴＸ＿ＮｘポートとＴＸ＿Ｎｙポート）、および８つの受信ポート（ＲＸ１＿Ｎｘポート、ＲＸ１＿Ｎｙポート、ＲＸ２＿Ｎｘポート、ＲＸ２＿Ｎｙポート、ＲＸ３＿Ｎｘポート、ＲＸ３＿Ｎｙポート、ＲＸ４＿Ｎｘポート、およびＲＸ４＿Ｎｙポート）を有する。ＴＸ＿Ｎｘポートは、１つのトランシーバ回路の受信ポートとカップリングされ、ＲＸ１＿Ｎｘポートは、１つのトランシーバ回路の送信ポートとカップリングされ、ＴＸ＿Ｎｙポートは、他のトランシーバ回路の受信ポートとカップリングされ、ＲＸ１＿Ｎｙは他のトランシーバ回路の送信ポートとカップリングされ、ＲＸ２＿Ｎｘポートは第３の受信回路の送信ポートとカップリングされ、ＲＸ３＿Ｎｘポートは第５の受信回路の送信ポートとカップリングされ、ＲＸ４＿Ｎｘポートは第７の受信回路の送信ポートとカップリングされ、ＲＸ２＿Ｎｙポートは第４の受信回路の送信ポートとカップリングされ、ＲＸ３＿Ｎｙポートは第６の受信回路の送信ポートとカップリングされ、ＲＸ４＿Ｎｙポートは第８の受信回路の送信ポートとカップリングされる。
【００３９】
本実施例において、電子装置は、アンテナシステム、無線周波数回路、およびマルチウェイスイッチを備えることが分かる。アンテナシステムは４つのアンテナを備える。マルチウェイスイッチは、８つのＴポートと４つのＰポートを備える。マルチウェイスイッチは、無線周波数回路およびアンテナシステムとカップリングされ、電子装置の４つのアンテナを介してＳＲＳを順番に送信する。
【００４０】
可能な実施例では、無線周波数回路は、少なくとも１つの独立回路モジュールを備える。少なくとも１つの独立回路モジュールは、第１のポートおよび第２のポートを有する。第１のポートは送受信ポートを含み、第２のポートは受信ポートを含む。第１のポートと第１のＴポートは１対１のカップリング関係にあり、第２のポートと第２のＴポートは１対１のカップリング関係にある。
【００４１】
独立回路モジュールの送受信ポートは、送信回路と受信回路を集積したポートに対応する。独立回路モジュールの送信ポートは、送信回路のポートに対応する。独立回路モジュールの受信ポートは、受信回路のポートに対応する。
【００４２】
本実施例において、マルチウェイスイッチに適応された無線周波数回路は、少なくとも１つの独立回路モジュールを備え、したがって、適応の柔軟性を改善し、コストを削減することが有利であることが分かる。
【００４３】
可能な実施例では、図２に示すように、１つの独立回路モジュールを備える場合、独立回路モジュールは、２つの信号送受信回路、６つの受信回路、２つの第１のポート、６つの第２のポートを備える。各トランシーバ回路は、１つの受信回路と１つの送信回路を備える。各トランシーバ回路の送受信ポートは、独立回路モジュールの１つの第１ポートとカップリングされている。６つのトランシーバ回路のそれぞれの受信ポートは、独立回路モジュールの１つの第２のポートとカップリングされている。
【００４４】
本実施例において、無線周波数回路は、単に１つの独立回路モジュールを備え、高度の集積度を有し、小さいスペースを占有し、それによってコストを削減することが分かる。
【００４５】
可能な実施例では、図３に示すように、２つの独立回路モジュールを備える条件の下で、２つの独立回路モジュールは、第１の独立回路モジュールおよび第２の独立回路モジュールを備える。各独立回路モジュールは、１つのトランシーバ回路、３つの受信回路、１つの第１ポート、および３つの第２ポートを備える。トランシーバ回路は、１つの受信回路と１つの送信回路を備える。各トランシーバ回路の送受信ポートは、トランシーバ回路を備える独立回路モジュールの１つの第１のポートとカップリングされる。各受信回路の受信ポートは、受信回路を備える独立回路モジュールの１つの第２のポートとカップリングされる。
【００４６】
本実施例において、無線周波数回路は２つの独立回路モジュールを備え、独立回路モジュールの数は少なく、無線周波数回路は高度の集積度を有し、小さいスペースを占有し、それによりコストを削減することが分かる。さらに、２つの独立回路モジュールの構造が同じであるため、製造コストを削減することが分かる。
【００４７】
可能な実施例では、２つの独立回路モジュールを備える条件の下で、２つの独立回路モジュールは、第１の独立回路モジュールおよび第２の独立回路モジュールを備える。第１の独立回路モジュールは、２つのトランシーバ回路および２つの第１のポートを備える。各トランシーバ回路は、１つの受信回路と１つの送信回路を備える。各トランシーバ回路の送受信ポートは、トランシーバ回路を備える独立回路モジュールの１つの第１のポートとカップリングされる。第２の独立回路モジュールは、６つの受信回路および６つの第２のポートを備える。各受信回路の受信ポートは、受信回路を備える独立回路モジュールの１つの第２のポートとカップリングされる。
【００４８】
本実施例において、無線周波数回路は２つの独立回路モジュールを備え、独立回路モジュールの数は少なく、無線周波数回路は高度の集積度を有し、小さいスペースを占有し、それによりコストが削減されることが分かる。
【００４９】
可能な実施例では、図１Ｃに示されるような無線周波数回路について、３つの独立回路モジュールを備える条件の下で、３つの独立回路モジュールは、第１の独立回路モジュール、第２の独立回路モジュール、および第３の独立回路モジュールを備える。第１の独立回路モジュールおよび第２の独立回路モジュールは両方とも、１つのトランシーバ回路および１つの第１のポートを備える。トランシーバ回路は、１つの受信回路と１つの送信回路を備え、各トランシーバ回路の送受信ポートは、トランシーバ回路を備える独立回路モジュールの第１のポートとカップリングされる。第３の独立回路モジュールは、６つの受信回路と６つの第２ポートを備える。各受信回路の受信ポートは、受信回路を備える独立回路モジュールの１つの第２のポートとカップリングされる。
【００５０】
可能な実施例では、３つの独立回路モジュールを備える条件の下で、３つの独立回路モジュールは、第１の独立回路モジュール、第２の独立回路モジュール、および第３の独立回路モジュールを備える。第１の独立回路モジュールおよび第２の独立回路モジュールは両方とも、１つのトランシーバ回路、１つの受信回路、１つの第１のポート、および１つの第２のポートを備える。第３の独立回路モジュールは、４つの受信回路と４つの第２ポートを備える。各トランシーバ回路は、１つの受信回路と１つの送信回路を備える。各トランシーバ回路の送受信ポートは、トランシーバ回路を備える独立回路モジュールの第１のポートとカップリングされている。各受信回路の受信ポートは、受信回路を備える独立回路モジュールの第２のポートとカップリングされる。
【００５１】
本実施例では、無線周波数回路は３つの独立回路モジュールを備え、独立回路モジュールの数は少なく、無線周波数回路は集積度が高く、占有するスペースが小さいため、コストが削減されることがわかる。また、２つの独立回路モジュールは同じ構造であり、モジュールの多重化が改善され、製造コストが削減される。
【００５２】
可能な実施例では、図４に示すように、３つの独立回路モジュールを備える場合、３つの独立回路モジュールは、第１独立回路モジュール、第２独立回路モジュール、および第３独立回路モジュールを備える。第１の独立回路モジュールおよび第２の独立回路モジュールは両方とも、１つのトランシーバ回路、２つの受信回路、１つの第１のポート、および２つの第２のポートを備える。第３の独立回路モジュールは、２つの受信回路および２つの第２のポートを備える。各トランシーバ回路は、１つの受信回路と１つの送信回路を備える。各トランシーバ回路の送受信ポートは、トランシーバ回路を備える独立回路モジュールの第１のポートとカップリングされている。各受信回路の受信ポートは、受信回路を備える独立回路モジュールの第２のポートとカップリングされる。
【００５３】
本実施例では、無線周波数回路は３つの独立回路モジュールを備え、独立回路モジュールの数は少なく、無線周波数回路は集積度が高く、占有するスペースが小さいため、コストが削減されることがわかる。また、２つの独立回路モジュールは同じ構造であり、モジュールの多重化が改善され、製造コストが削減される。
【００５４】
可能な実施例では、図５に示すように、４つの独立回路モジュールを備える条件の下で、４つの独立回路モジュールは、第１独立回路モジュール、第２独立回路モジュール、第３独立回路モジュール、および第４独立回路モジュールを備える。第１の独立回路モジュールおよび第２の独立回路モジュールは両方とも、１つのトランシーバ回路および１つの第１のポートを備える。各トランシーバ回路は、１つの受信回路と１つの送信回路を備える。トランシーバ回路の送受信ポートは、トランシーバ回路を備える独立回路モジュールの第１のポートとカップリングされる。第３の独立回路モジュールおよび第４の独立回路モジュールは両方とも、３つの受信回路および３つの第２のポートを備える。各受信回路の受信ポートは、受信回路を備える独立回路モジュールの１つの第２のポートとカップリングされる。
【００５５】
本実施例において、無線周波数回路は４つの独立回路モジュールを備え、４つの独立回路モジュールの２つは同じであり、４つの独立回路モジュールの別の２つは同じであり、従ってモジュールの多重化が改善されて、製造コストが削減されることがわかる。
【００５６】
可能な実施例では、４つの独立回路モジュールを備える条件の下で、４つの独立回路モジュールは、第１の独立回路モジュール、第２の独立回路モジュール、第３の独立回路モジュール、および第４の独立回路モジュールを備える。第１の独立回路モジュールおよび第２の独立回路モジュールは両方とも、１つのトランシーバ回路、１つの受信回路、１つの第１のポート、および１つの第２のポートを備える。第３の独立回路モジュールおよび第４の独立回路モジュールは両方とも、２つの受信回路および２つの第２のポートを備える。トランシーバ回路は、１つの受信回路と１つの送信回路を備える。各トランシーバ回路の送受信ポートは、トランシーバ回路を備える独立回路モジュールの第１のポートとカップリングされている。各受信回路の受信ポートは、受信回路を備える独立回路モジュールの第２のポートとカップリングされる。
【００５７】
本実施例において、無線周波数回路は４つの独立回路モジュールを備え、４つの独立回路モジュールの２つは同じであり、４つの独立回路モジュールの別の２つは同じであり、従ってモジュールの多重化が改善されて、製造コストが削減されることがわかる。
【００５８】
可能な実施例では、図６に示すように、５つの独立回路モジュールを備える場合、５つの独立回路モジュールは、第１独立回路モジュール、第２独立回路モジュール、第３独立回路モジュール、第４独立回路モジュール、第５独立回路モジュールを備える。第１の独立回路モジュールおよび第２の独立回路モジュールは両方とも、１つのトランシーバ回路および１つの第１のポートを備える。トランシーバ回路は、１つの受信回路と１つの送信回路を備える。各トランシーバ回路の送受信ポートは、トランシーバ回路を備える独立回路モジュールの第１のポートとカップリングされている。第３の独立回路モジュール、第４の独立回路モジュール、および第５の独立回路モジュールはすべて、２つの受信回路および２つの第２のポートを備える。各受信回路の受信ポートは、受信回路を備える独立回路モジュールの第２のポートとカップリングされる。
【００５９】
本実施例において、無線周波数回路は５つの独立回路モジュールを備え、５つの独立回路モジュールのうちの２つは同じであり、５つの独立回路モジュールの残りの独立回路モジュールは同じであり、したがってモジュールの多重化が改善され、製造コストが削減されることがわかる。
【００６０】
可能な実施例では、６つの独立回路モジュールを備える条件の下で、６つの独立回路モジュールは、第１の独立回路モジュール、第２の独立回路モジュール、第３の独立回路モジュール、第４の独立回路モジュール、第５の独立回路モジュール、および第６の独立回路モジュールを備える。第１の独立回路モジュールおよび第２の独立回路モジュールは両方とも、１つの送信回路、１つの受信回路、１つの第１のポート、および１つの第２のポートを備える。各送信回路の送信ポートは、送信回路を備える独立回路モジュールの第１のポートとカップリングされる。各受信回路の受信ポートは、受信回路を備える独立回路モジュールの第２のポートとカップリングされる。第３の独立回路モジュール、第４の独立回路モジュール、第５の独立回路モジュール、および第６の独立回路モジュールはすべて、１つの受信回路および１つの第２のポートを備える。各受信回路の受信ポートは、受信回路を備える独立回路モジュールの第２のポートとカップリングされる。
【００６１】
可能な実施例では、７つの独立回路モジュールを備える条件の下で、７つの独立回路モジュールは、第１の独立回路モジュール、第２の独立回路モジュール、第３の独立回路モジュール、第４の独立回路モジュール、第５の独立回路モジュール、第６の独立回路モジュール、第７の独立回路モジュールを備える。第１の独立回路モジュールは、２つのトランシーバ回路および２つの第１のポートを備える。各トランシーバ回路は、１つの受信回路と１つの送信回路を備える。各トランシーバ回路の送受信ポートは、トランシーバ回路を備える独立回路モジュールの第１のポートとカップリングされている。第２の独立回路モジュール、第３の独立回路モジュール、第４の独立回路モジュール、第５の独立回路モジュール、第６の独立回路モジュール、および第７の独立回路モジュールはすべて、１つの受信回路および１つの第２のポートを備える。各受信回路の受信ポートは、受信回路を備える独立回路モジュールの第２のポートとカップリングされる。
【００６２】
説明する必要があるのは、無線周波数回路の実施例は様々であってよく、本開示はそれに限定されないことである。さらに、異なるトランシーバ回路の送受信ポートとカップリングされる第１のポートは互いに異なり、異なる受信回路の受信ポートとカップリングされる第２のポートは互いに異なる。
【００６３】
可能な実施例では、図７Ａに示すように、受信回路は、１つの低雑音増幅器（ＬＮＡ）および１つのフィルタを備える。フィルタの入力ポートは独立回路モジュールの第２のポートとカップリングされ、フィルタの出力ポートはＬＮＡの入力ポートとカップリングされ、ＬＮＡの出力ポートは無線周波数トランシーバの対応するポートとカップリングされる。
【００６４】
可能な実施例では、図７Ｂにおいて、トランシーバ回路は、１つのＬＮＡ、１つの電力増幅器（ＰＡ）、１つのフィルタ、１つのカプラ、および１つのスイッチを備える。ＬＮＡの入力ポートとＰＡの出力ポートはスイッチとカップリングされ、スイッチはフィルタとカップリングされ、フィルタはカプラとカップリングされ、カプラは独立モジュールの第１のポートとカップリングされる。
【００６５】
図７Ｂに示されるように、トランシーバ回路は、１つの受信回路および１つの送信回路を備える。スイッチを介してＬＮＡの入力ポートを選択すると、受信回路が導通し、第１のポート、カプラ、フィルタ、スイッチ、およびＬＮＡを介して無線周波数信号が受信される。スイッチを介してパワーアンプの出力ポートを選択すると、送信回路が導通し、無線周波数信号がＰＡ、スイッチ、フィルタ、カプラ、および第１のポートを介して送信される。
【００６６】
説明する必要があるのは、受信回路および送受信回路の実施例は様々であってよく、本開示はそれに限定されないことである。
【００６７】
可能な実施例では、４つのアンテナは、第１のアンテナ、第２のアンテナ、第３のアンテナ、および第４のアンテナを含む。第１のアンテナ、第２のアンテナ、第３のアンテナ、および第４のアンテナは、５Ｇ  ＮＲ周波数帯域で動作可能である。
【００６８】
５Ｇ  ＮＲ周波数帯域は、例えば、３．３ＧＨｚから３．８ＧＨｚおよび４．４ＧＨｚから５ＧＨｚを含んでもよい。
【００６９】
可能な実施例では、４つのアンテナは、第１のアンテナ、第２のアンテナ、第３のアンテナ、および第４のアンテナを含む。第１のアンテナおよび第４のアンテナは、ＬＴＥ周波数帯域および５Ｇ  ＮＲ周波数帯域で動作可能である第２のアンテナと第３のアンテナは、５Ｇ  ＮＲ周波数帯域でのみ動作する。
【００７０】
第１のアンテナと第４のアンテナは、ＬＴＥ端末の一部の周波数帯域でのＤＬ  ４ｘ４  ＭＩＭＯをサポートすることを目的としており、ＬＴＥ端末の受信アンテナのうち２つは５Ｇ  ＮＲで動作可能なアンテナと共有される。ＬＴＥ周波数帯域は、例えば、１８８０Ｈｚ〜１９２０ＭＨｚおよび２４９６Ｈｚ〜２６９０ＭＨｚを含んでもよい。
【００７１】
可能な実施例では、図８に示されるように、アンテナシステムは、第１のコンバイナおよび第２のコンバイナをさらに備える。第１のコンバイナは、第１のアンテナとカップリングされる第１のポート、電子装置のＬＴＥ  ４ｘ４  ＭＩＭＯにおける第１の受信経路とカップリングされる第２のポート、およびマルチウェイスイッチの対応するＰポートとカップリングされる第３のポートを有する。第２のコンバイナは、第４のアンテナとカップリングされる第１のポート、電子装置のＬＴＥ  ４ｘ４  ＭＩＭＯの第２の受信経路とカップリングされる第２のポート、およびマルチウェイスイッチの対応するＰポートとカップリングされる第３のポートを有する。
【００７２】
ＬＴＥ  ４ｘ４  ＭＩＭＯはダウンリンクＬＴＥ受信回路であり、第３の受信経路として定義できる。ＬＴＥは現在２つの受信経路を有するので、ＬＴＥ  ４ｘ４  ＭＩＭＯをサポートするために、第３の受信経路と第４の受信経路が追加される。
【００７３】
４つのアンテナのパフォーマンスに応じて、電子装置はパフォーマンスのよりよい１つのアンテナをスタンバイモードためのプライマリ受信（ＰＲｘ）に配置する。さらに、送信機能と受信機能の両方を備えたスイッチの第１のＴポートをＴｘおよびＰＲｘ機能用に構成できるので、アンテナを任意に切り替えることができる。このように、共有アンテナのカップリングポートを制限する必要はない。
【００７４】
可能な実施例では、図９に示されるように、アンテナシステムは、第１の単極双投（ＳＰＤＴ）スイッチおよび第２のＳＰＤＴスイッチをさらに備える。第１のＳＰＤＴスイッチは、第１のアンテナとカップリングされる第１のポート、電子装置のＬＴＥ  ４ｘ４  ＭＩＭＯにおける第１の受信経路とカップリングされる第２のポート、およびマルチウェイスイッチの対応するＰポートとカップリングされる第３のポートを有する。第２のＳＰＤＴスイッチは、第４のアンテナとカップリングされる第１のポート、電子装置のＬＴＥ  ４ｘ４  ＭＩＭＯの第２の受信経路とカップリングされる第２のポート、およびマルチウェイスイッチの対応するＰポートとカップリングされる第３のポートを有する。
【００７５】
図１０を参照する。図１０は、本開示の一実施形態による無線周波数システムを示す概略構造図である。無線周波数システムは、アンテナシステム、無線周波数回路、および上記の実施形態のいずれかによるマルチウェイスイッチを備える。マルチウェイスイッチは、無線周波数回路およびアンテナシステムとカップリングされている。マルチウェイスイッチは、８つのＴポートと４つのＰポートを有する。８つのＴポートには２つの第１のＴポートが含まれ、２つの第１のＴポートのそれぞれは４つのＰポートのすべてとカップリングされる。アンテナシステムは、４つのＰポートに対応する４つのアンテナを備える。マルチウェイスイッチは、４つのアンテナを介してＳＲＳを順番に送信する機能を実装するように構成されている。
【００７６】
電子装置の無線周波数システムの送信経路および受信経路について、送信経路は、１つの独立した４Ｐ８Ｔスイッチを備えるか、または１つの独立したＳＰＤＴスイッチおよび１つの独立した４Ｐ８Ｔスイッチを備えてもよいことが分かる。受信経路は、１つの独立した４Ｐ８Ｔスイッチを備える場合と、１つの独立したＳＰＤＴスイッチと１つの独立した４Ｐ８Ｔスイッチを備える場合がある。無線周波数システムの送信経路と受信経路のスイッチ機能を４Ｐ８Ｔスイッチに集積することにより、送信経路と受信経路の独立したスイッチの数を効果的に減らすことができる。
【００７７】
図１１を参照する。図１１は本開示の一実施形態による通信装置を示す概略構造図である。通信装置は、アンテナシステム、無線周波数回路、および上記の実施形態のいずれかで説明されたマルチウェイスイッチを備える。マルチウェイスイッチは、無線周波数回路およびアンテナシステムとカップリングされている。マルチウェイスイッチは、８つのＴポートと４つのＰポートを有する。８つのＴポートには２つの第１のＴポートが含まれ、２つの第１のＴポートのそれぞれは４つのＰポートのすべてとカップリングされる。アンテナシステムは、４つのＰポートに対応する４つのアンテナを備える。マルチウェイスイッチは、４つのアンテナを介してＳＲＳを順番に送信する機能を通信装置に実装するように構成される。
【００７８】
また、図１２に示されるように、本開示の実施形態で説明されるアンテナシステムの４つのアンテナはまた、電子装置のワイヤレス充電レシーバによって多重化され得る。ワイヤレス充電レシーバは、受信アンテナおよび受信制御回路を備える。受信アンテナは、ワイヤレス充電レシーバの送信アンテナとマッチする（同じまたは類似の周波数で共振し、放射共鳴磁気カップリングの方法でエネルギーをワイヤレスで転送する）。受信制御回路は、ループアレイアンテナを介して、エネルギーを直流（ＤＣ）に変換し、出力して電池を充電する。受信制御回路は、ループアレイアンテナの周波数を動的に調整し、ループアレイアンテナの周波数をワイヤレス充電送信機の送信アンテナの周波数とマッチさせて、ペアリングされた充電を達成することができる。あるいは、受信制御回路は、周波数変更範囲でリアルタイムにワイヤレス充電レシーバと対話して、「排他的な暗号化」ワイヤレス充電モードを実装する。
【００７９】
受信アンテナは、４つのアンテナのうちの少なくとも１つを含むアンテナであってもよい（複数のアンテナの場合、複数のアンテナはスイッチを介してストローブされる）。
【００８０】
例えば、図１３に示すように、受信アンテナは、上述した４つのアンテナを含むループアレイアンテナである。４つのアンテナには、アンテナ１、アンテナ２、アンテナ３、およびアンテナ４が含まれる。アンテナ１とアンテナ４は、ＬＴＥ周波数帯域と５Ｇ  ＮＲ周波数帯域の両方で動作し、アンテナ２とアンテナ３は、５Ｇ  ＮＲ周波数帯域でのみ動作する。アンテナ１のポートとアンテナ４のポートは、ループアレイアンテナのポートとして使用される。隣接するアンテナは、分離機能を備えたゲート回路１７０を介してカップリングされる。ゲート回路１７０は、スペーサー１７１およびスイッチ１７２を備え、スペーサー１７１は導体であり、スイッチ１７２はさらにコントローラーとカップリングされる。電子装置は、ワイヤレス充電モードで各ゲート回路１７０のスイッチ１７２をオンに切り替えて、エネルギーを受け取るループアレイアンテナを形成することができる。アンテナ間にスペーサ１７１を追加することにより、ゲート回路１７０は、通常の通信モードにおける電子装置の複数のアンテナ間の相互カップリングを低減し、複数のアンテナ間の分離を改善し、アンテナの性能を最適化できる。一方、複数のアンテナを直列とカップリングして、スイッチ１７１を介してループアレイアンテナを形成し、送信アンテナとよりよくマッチしてエネルギーを転送することができる。また、アンテナ１およびアンテナ４は、アンテナ２およびアンテナ３よりも能力が強いため、ループアレイアンテナを配置することにより、送信時のエネルギーロスを極力低減することができる。
【００８１】
上記は、本開示の実施形態の実施例である。当業者は、本開示の実施形態に基づいていくつかの改善および仕上げを行うことができることを指摘しておく。これらの改善および仕上げは、本開示の保護範囲であると解釈されるべきである。
【国際調査報告】
2021511724.tif 000019
2021511724.tif 000020